(57)【要約】【課題】各分散仮想リソースブロックＤＶＲＢの受信品質が均等になるようなＤＶＲBマッピングを行うこと【解決手段】無線送信装置は、各無線受信装置に宛てて送信する信号を冗長化し、冗長化による信号の組を生成する送信ダイバーシチ処理部と、複数の無線受信装置に宛てた冗長化した信号を、予め決められた幅の周波数帯および時間帯からなる物理リソースブロックに、冗長化による信号の組を単位として多重する多重部と、多重部が多重した信号を送信する送信部とを具備する。無線受信装置は、無線送信装置が送信した信号を受信する受信部と、受信した信号のうち、物理リソースブロックに多重された信号から、多重部による配置順に基づき当該無線受信装置宛ての信号を抽出する多重分離部と、抽出した信号のうち、冗長化による信号の組を構成する信号を合成して、冗長化前の信号を生成する送信ダイバーシチ合成部とを具備する。【選択図】図１０
2009060420.tif 000002
【特許請求の範囲】
【請求項１】
無線送信装置と複数の無線受信装置とを具備し、信号を冗長化して送信する送信ダイバーシチを用いて通信する無線通信システムにおいて、
前記無線送信装置は、
各前記無線受信装置に宛てて送信する信号を冗長化し、冗長化による信号の組を生成する送信ダイバーシチ処理部と、
複数の前記無線受信装置に宛てた前記冗長化した信号を、予め決められた幅の周波数帯および時間帯からなる物理リソースブロックに、前記冗長化による信号の組を単位として多重する多重部と、
前記多重部が多重した信号を送信する送信部と
を具備し、
前記無線受信装置は、
前記無線送信装置が送信した信号を受信する受信部と、
前記受信した信号のうち、前記物理リソースブロックに多重された信号から、前記多重部による配置順に基づき当該無線受信装置宛ての信号を抽出する多重分離部と、
前記抽出した信号のうち、前記冗長化による信号の組を構成する信号を合成して、冗長化前の信号を生成する送信ダイバーシチ合成部と
を具備することを特徴とする無線通信システム。
【請求項２】
前記無線送信装置の多重部は、前記物理リソースブロックに、前記冗長化した信号の宛先となっている前記無線受信装置が同一の順番で繰り返されるように、前記冗長化した信号を配置して多重すること
特徴とする請求項１に記載の無線通信システム。
【請求項３】
前記無線送信装置の多重部は、前記物理リソースブロックに、前記冗長化した信号の宛先となっている前記無線受信装置が繰り返し毎に異なる順番で繰り返されるように、前記冗長化した信号を配置して多重すること
特徴とする請求項１に記載の無線通信システム。
【請求項４】
前記多重部は、前記順番が前記物理リソースブロック毎に異なるように、前記冗長化した信号を配置して多重すること
特徴とする請求項２または請求項３に記載の無線通信システム。
【請求項５】
前記物理リソースブロックには、制御データの信号が多重され、
前記無線送信装置の送信部は、一の前記受信装置に、前記物理リソースブロックに多重される制御データの信号の量を表す情報と、前記物理リソースブロックに多重される前記冗長化した信号の宛先となっている前記受信装置の数を表す情報と、前記宛先となっている前記受信装置群における前記一の受信装置の識別番号を表す情報とを少なくとも含むパラメータを送信し、
前記無線受信装置の多重分離部は、前記受信した信号のうち前記物理リソースブロックにおける信号の配置順を、前記パラメータに基づき判定し、当該無線受信装置宛ての信号を前記物理リソースブロックから抽出すること
を特徴とする請求項１から請求項４のいずれかの項に記載の無線通信システム。
【請求項６】
前記送信ダイバーシチ処理部による信号の冗長化は、第１の信号を第１のアンテナから送信する第１の周波数に割り当て、第２の信号を第２のアンテナから送信する前記第１の周波数に割り当て、冗長化のために前記第２の信号を変換した信号を前記第１のアンテナから送信する第２の周波数に割り当て、冗長化のために前記第１の信号を変換した信号を前記第２のアンテナから送信する前記第２の周波数に割り当て、
前記冗長化による信号の組は、前記第１の信号と前記第２の信号と前記第１の信号を変換した信号と前記第２の信号を変換した信号とからなる組であること
を特徴とする請求項１から請求項５のいずれかの項に記載の無線通信システム。
【請求項７】
前記送信ダイバーシチ処理部による信号の冗長化は、第１の信号を第１のアンテナから送信する第１の周波数に割り当て、第２の信号を第２のアンテナから送信する前記第１の周波数に割り当て、冗長化のために前記第２の信号を変換した信号を前記第１のアンテナから送信する第２の周波数に割り当て、冗長化のために前記第１の信号を変換した信号を前記第２のアンテナから送信する前記第２の周波数に割り当て、第３の信号を第３のアンテナから送信する第３の周波数に割り当て、第４の信号を第４のアンテナから送信する前記第３の周波数に割り当て、冗長化のために前記第４の信号を変換した信号を前記第３のアンテナから送信する前記第４の周波数に割り当て、冗長化のために前記第３の信号を変換した信号を前記第４のアンテナから送信する前記第４の周波数に割り当て、
前記冗長化による信号の組は、前記第１の信号と前記第２の信号と前記第１の信号を変換した信号と前記第２の信号を変換した信号と前記第３の信号と前記第４の信号と前記第３の信号を変換した信号と前記第４の信号を変換した信号とからなる組であること
を特徴とする請求項１から請求項５のいずれかの項に記載の無線通信システム。
【請求項８】
前記無線送信装置の送信部は、ＯＦＤＭ方式の信号を送信し、前記無線受信装置の受信部は、ＯＦＤＭ方式の信号を受信すること
を特徴とする請求項１から請求項７のいずれかの項に記載の無線通信システム。
【請求項９】
信号を冗長化して送信する送信ダイバーシチを用いて複数の無線受信装置と通信する無線送信装置において、
各前記無線受信装置に宛てて送信する信号を冗長化し、冗長化による信号の組を生成する送信ダイバーシチ処理部と、
複数の前記無線受信装置に宛てた前記冗長化した信号を、予め決められた幅の周波数帯および時間帯からなる物理リソースブロックに、前記冗長化による信号の組を単位として多重する多重部と、
前記多重部が多重した信号を送信する送信部と
を具備することを特徴とする無線送信装置。
【請求項１０】
信号を冗長化して送信する送信ダイバーシチを用いて複数の無線受信装置と通信する無線送信装置が具備するコンピュータを、
各前記無線受信装置に宛てて送信する信号を冗長化し、冗長化による信号の組を生成する送信ダイバーシチ処理部、
複数の前記無線受信装置に宛てた前記冗長化した信号を、予め決められた幅の周波数帯および時間帯からなる物理リソースブロックに、前記冗長化による信号の組を単位として多重する多重部、
前記多重部が多重した信号を送信する送信部
として機能させるためのプログラム。
【請求項１１】
信号が冗長化されて送信される送信ダイバーシチを用いて無線送信装置と通信する無線受信装置において、
前記無線送信装置が送信した信号を受信する受信部と、
前記受信した信号のうち、予め決められた幅の周波数帯および時間帯からなる物理リソースブロックに多重された信号から、前記無線送信装置による配置順に基づき当該無線受信装置宛ての信号を抽出する多重分離部と、
前記抽出した信号のうち、前記冗長化による信号の組を構成する信号を合成して、該冗長化前の信号を生成する送信ダイバーシチ合成部と
を具備することを特徴とする無線受信装置。
【請求項１２】
信号が冗長化されて送信される送信ダイバーシチを用いて無線送信装置と通信する無線受信装置が具備するコンピュータを、
前記無線送信装置が送信した信号を受信する受信部、
前記受信した信号のうち、予め決められた幅の周波数帯および時間帯からなる物理リソースブロックに多重された信号から、前記無線送信装置による配置順に基づき当該無線受信装置宛ての信号を抽出する多重分離部、
前記抽出した信号のうち、前記冗長化による信号の組を構成する信号を合成して、該冗長化前の信号を生成する送信ダイバーシチ合成部
として機能させるためのプログラム。
【請求項１３】
無線送信装置と複数の無線受信装置とを具備し、信号を冗長化して送信する送信ダイバーシチを用いて通信する無線通信システムにおける無線通信方法であって、
前記無線送信装置が、各前記無線受信装置に宛てて送信する信号を冗長化し、冗長化による信号の組を生成する第１の過程と、
前記無線送信装置が、複数の前記無線受信装置に宛てた前記冗長化した信号を、予め決められた幅の周波数帯および時間帯からなる物理リソースブロックに、前記冗長化による信号の組を単位として多重する第２の過程と、
前記無線送信装置が、前記多重部が多重した信号を送信する第３の過程と、
前記無線受信装置が、前記無線送信装置が送信した信号を受信する第４の過程と、
前記無線受信装置が、前記受信した信号のうち、前記物理リソースブロックに多重された信号から、前記第２の過程による配置順に基づき当該無線受信装置宛ての信号を抽出する第５の過程と、
前記無線受信装置が、前記抽出した信号のうち、前記冗長化による信号の組を構成する信号を合成して、冗長化前の信号を生成する第６の過程と
を備えることを特徴とする無線通信方法。
【発明の詳細な説明】
【技術分野】
【０００１】
本発明は、無線通信システム、無線送信装置、無線受信装置、プログラムおよび無線通信方法、特に、送信ダイバーシチを用いた無線通信システム、無線送信装置、無線受信装置、プログラムおよび無線通信方法に関する。
【背景技術】
【０００２】
セルラー移動通信の第三世代（３Ｇ）無線アクセス方式として、Ｗ‐ＣＤＭＡ（Wideband Code Division Multiple Access；広帯域符号分割多元接続）方式が３ＧＰＰ（3rd Generation Partnership Project）において標準化され、同方式によるセルラー移動通信サービスが開始されている。また、３Ｇの進化（Evolved Universal Terrestrial Radio Access；以下、「ＥＵＴＲＡ」という）及び３Ｇネットワークの進化（Evolved Universal Terrestrial Radio Access Network）が検討されている。
【０００３】
ＥＵＴＲＡの下りリンクとして、ＯＦＤＭ（Orthogonal Frequency Division Multiplexing：直交周波数分割多重）方式が提案されている。また、ＥＵＴＲＡの上りリンクとして、ＤＦＴ（Discrete Fourier Transform；離散フーリエ変換）−Ｓｐｒｅａｄ  ＯＦＤＭ方式のシングルキャリア通信方式が提案されている。
ここで、ＥＵＴＲＡにおけるチャネルの構造について、その概略を図１に示す。基地局装置ＢＳ１は、移動局装置ＵＥ１、ＵＥ２、ＵＥ３と無線通信を行う。基地局装置から移動局装置への無線通信のＥＵＴＲＡの下りリンクは、下りリンクパイロットチャネルと、下りリンク同期チャネルと、報知チャネル、下りリンク制御チャネルと、下りリンク共有データチャネル、制御フォーマットインディケータチャネルとにより構成されている。また、ＥＵＴＲＡの上りリンクは、上りリンクパイロットチャネルと、ランダムアクセスチャネルと、上りリンク制御チャネルと、上りリンク共有データチャネルとにより構成されている。
【０００４】
図２は、ＥＵＴＲＡにおける下りリンクフレームの概略構成である（非特許文献１）。横軸は周波数領域、縦軸は時間領域を表している。下りリンクフレームは、無線リソース割り当てなどの単位であり、予め決められた幅の周波数帯および時間帯からなるＰＲＢ（Physical Resource Block：物理リソースブロック）から構成されている。１個の物理リソースブロックＰＲＢは周波数領域において１２個のサブキャリアから構成され、時間領域において１４個のＯＦＤＭシンボルから構成される。システム帯域幅は、基地局装置の通信帯域幅である。時間領域においては、７個のＯＦＤＭシンボルから構成されるスロット、２個のスロットから構成されるサブフレーム、１０個のサブフレームから構成される無線フレームがある。なお、１個のサブキャリアと１個のＯＦＤＭシンボルから構成されるユニットをリソースエレメントと呼ぶ。また、下りリンクフレームではシステム帯域幅に応じて複数の物理リソースブロックＰＲＢが配置される。
【０００５】
各サブフレームには少なくとも、データの送信に用いる下りリンク共有データチャネル、制御データの送信に用いる下りリンク制御チャネルが配置される。下りリンク共有データチャネル及び下りリンク制御チャネルのチャネル推定に用いる下りリンクパイロットチャネルについては図示せず、その配置の説明は後述する。図２では、下りリンク制御チャネルはサブフレームの１番目と２番目と３番目のＯＦＤＭシンボルに配置され、下りリンク共有データチャネルはその他のＯＦＤＭシンボルに配置された場合を示しているが、下りリンク制御チャネルが配置されるＯＦＤＭシンボルはサブフレーム単位で変化する。なお、図２において図示は省略しているが、下りリンク制御チャネルを構成するＯＦＤＭシンボル数を示す制御フォーマットインディケータチャネルは１ＯＦＤＭシンボル目に配置され、下りリンク制御チャネルは１番目のＯＦＤＭシンボルのみに配置されたり、１番目と２番目のＯＦＤＭシンボルに配置されたりする。なお、同一のＯＦＤＭシンボルにおいて下りリンク制御チャネルと下りリンク共有データチャネルは一緒に配置されない。下りリンク制御チャネルは、移動局識別子または移動局群識別子、下りリンク共有データチャネルの無線リソース割り当て情報、マルチアンテナ関連情報、変調方式、符号化率、ペイロードサイズ、再送パラメータなどが配置される。
【０００６】
図３は、ＥＵＴＲＡの下りリンクにおける１ＰＲＢ内の下りリンクパイロットチャネルの配置を説明する図である。図３において、横軸は時間領域、縦軸は周波数領域を表している。ここでは、基地局装置が４本の送信アンテナ（送信アンテナ１、送信アンテナ２、送信アンテナ３、送信アンテナ４）を有する場合について説明する。図３において、Ｒ１は送信アンテナ１が送信する下りリンクパイロットチャネルのリソースエレメントを表し、Ｒ２は送信アンテナ２が送信する下りリンクパイロットチャネルのリソースエレメントを表し、Ｒ３は送信アンテナ３が送信する下りリンクパイロットチャネルのリソースエレメントを表し、Ｒ４は送信アンテナ４が送信する下りリンクパイロットチャネルのリソースエレメントを表す。なお、基地局装置が２本の送信アンテナのみを有する場合は、２番目のＯＦＤＭシンボルにおけるリソースエレメントＲ３とＲ４では下りリンク制御チャネルが送信され、９番目のＯＦＤＭシンボルにおけるリソースエレメントＲ３とＲ４では下りリンク共有データチャネルが送信される。なお、４本の送信アンテナを有する基地局装置は、リソースＲ３とＲ４の送信を時間領域で適応的に制御することができる。すなわち、基地局装置は、あるサブフレームでは上述のように下りリンクパイロットチャネルであるリソースエレメントＲ３、Ｒ４を配置し、あるサブフレームではリソースエレメントＲ３、Ｒ４を配置せず、下りリンクパイロットチャネルとしてはリソースエレメントＲ１、Ｒ２のみを配置する。
【０００７】
このような下りリンクにおいて、下りリンク制御チャネルや下りリンク共有データチャネルに対して送信ダイバーシチの適用を行うことができる。２本の送信アンテナを用いた送信ダイバーシチ方式としてＳＦＢＣ（Space Frequency Block Code；空間周波数ブロック符号）、４本の送信アンテナを用いた送信ダイバーシチ方式としてＳＦＢＣ＋ＦＳＴＤ（Frequency Switched Transmit Diversity；周波数切換送信ダイバーシチ）の適用を行うことができる（非特許文献２、非特許文献３、非特許文献４）。図４は、送信ダイバーシチ方法を説明するための図である。図４（ａ）は、２本の送信アンテナ（Ｔｘ１、Ｔｘ２）を用いたＳＦＢＣを表す。２つの送信信号（ｓ１、ｓ２）と、該２つの送信信号に対し冗長化のために符号反転、共役転置した信号（ｓ１＊、−ｓ２＊）とを、各周波数領域、すなわち各サブキャリア（ｆ１、ｆ２）で各送信アンテナから送信する。図４（ｂ）は、４本の送信アンテナ（Ｔｘ１、Ｔｘ２、Ｔｘ３、Ｔｘ４）を用いたＳＦＢＣ＋ＦＳＴＤを表す。４つの送信信号（ｓ１、ｓ２、ｓ３、ｓ４）と、該４つの送信信号に対し冗長化のために符号反転、共役転置した信号（ｓ１＊、−ｓ２＊、ｓ３＊、−ｓ４＊）とを、各周波数領域（ｆ１、ｆ２、ｆ３、ｆ４）で各送信アンテナから送信する。つまり、Ｔｘ１とＴｘ３のペアの空間周波数ブロック符号ＳＦＢＣとＴｘ２とＴｘ４のペアの空間周波数ブロック符号ＳＦＢＣを行い、各ペアは異なる周波数領域（ｆ１とｆ２、ｆ３とｆ４）で送信を行う。
【０００８】
このように送信ダイバーシチの符号化を行った下りリンク共有データチャネルの送信信号は、各リソースエレメントに配置される。リソースエレメントへの配置方法としては、空間周波数ブロック符号ＳＦＢＣの周波数ペア（２個の周波数）、ＳＦＢＣ＋ＦＳＴＤの周波数セット（４個の周波数）で配置することができる。すなわち、下りリンクのサブフレームの下りリンク共有データチャネルの最初の時間領域（ＯＦＤＭシンボル）の周波数領域（サブキャリア）から順々に各リソースエレメントに周波数ペア（２リソースエレメント）、または周波数セット（４リソースエレメント）の送信信号を配置し、周波数領域で全てのリソースエレメントに配置したら次の時間領域のリソースエレメントの周波数領域から順々に配置することを繰り返すことができる。
【０００９】
図５は、２本の送信アンテナを用いた空間周波数ブロック符号ＳＦＢＣの送信信号の１つの物理リソースブロックＰＲＢ内の各リソースエレメントへの配置例を説明する図である。図５において、例えば、２個のリソースエレメントＤ１２−１は、アンテナＴｘ１とＴｘ２で送信する周波数ペアナンバー１の送信信号を表し、一方のリソースエレメントに図４（ａ）のｆ１の送信信号を配置し、もう一方のリソースエレメントに図４（ａ）のｆ２の送信信号を配置する。このように、下りリンク共有データチャネルの最初の時間領域のリソースエレメントから順番にＳＦＢＣの周波数ペアを配置し、全てのリソースエレメントに配置した後、次の時間領域のリソースエレメントから順番に周波数ペアを再度配置する。図５のように、サブフレームの下りリンク制御チャネルが３ＯＦＤＭシンボルで構成される場合、合計６０個の周波数ペアが１つの物理リソースブロックＰＲＢ内で配置される。
【００１０】
すなわち、図５の２個のリソースエレメントＤ１２−１のうち、一方には、周波数ペアナンバー１の図４（ａ）の信号ｓ１とｓ２の変調シンボルが配置され、そして信号ｓ１の変調シンボルを含むＯＦＤＭシンボルはアンテナＴｘ１で送信され、信号ｓ２の変調シンボルを含むＯＦＤＭシンボルはアンテナＴｘ２で送信される。他方には、周波数ペアナンバー１の図４（ａ）の信号−ｓ２＊とｓ１＊の変調シンボルが配置され、そして信号−ｓ２＊の変調シンボルを含むＯＦＤＭシンボルはアンテナＴｘ１で送信され、信号ｓ１＊の変調シンボルを含むＯＦＤＭシンボルはアンテナＴｘ２で送信される。図５の次の２個のリソースエレメントＤ１２−２の最初のものには、周波数ペアナンバー２の図４（ａ）の信号ｓ１とｓ２の変調シンボルが配置され、そして信号ｓ１の変調シンボルを含むＯＦＤＭシンボルはアンテナＴｘ１で送信され、信号ｓ２の変調シンボルを含むＯＦＤＭシンボルはアンテナＴｘ２で送信される。他方には、周波数ペアナンバー２の図４（ａ）の信号−ｓ２＊とｓ１＊の変調シンボルが配置され、そして信号−ｓ２＊の変調シンボルを含むＯＦＤＭシンボルはアンテナＴｘ１で送信され、信号ｓ１＊の変調シンボルを含むＯＦＤＭシンボルはアンテナＴｘ２で送信される。
【００１１】
図６は、４本の送信アンテナを用いたＳＦＢＣ＋ＦＳＴＤの送信信号の１つの物理リソースブロックＰＲＢ内の各リソースエレメントへの配置例を説明する図である。図６において、例えば、２個のリソースエレメントＤ１３−１はＴｘ１とＴｘ３の周波数セットナンバー１の送信信号を表し、２個のリソースエレメントＤ２４−１はＴｘ２とＴｘ４の周波数セットナンバー１の送信信号を表す。これらの２個のリソースエレメントＤ１３−１と２個のリソースエレメントＤ２４−１を合計した４個の信号により周波数セットナンバー１の送信信号が構成される。リソースエレメントＤ１３−１のうち、一方のリソースエレメントに図４（ｂ）のｆ１の送信信号を配置し、もう一方のリソースエレメントに図４（ｂ）のｆ２の送信信号を配置し、リソースエレメントＤ２４−１において一方のリソースエレメントに図４（ｂ）のｆ３の送信信号を配置し、もう一方のリソースエレメントに図４（ｂ）のｆ４の送信信号を配置する。
【００１２】
すなわち、図６の２個のリソースエレメントＤ１３−１のうち、一方には、周波数セットナンバー１の図４（ｂ）の信号ｓ１とｓ２の変調シンボルが配置され、そして信号ｓ１の変調シンボルを含むＯＦＤＭシンボルはアンテナＴｘ１で送信され、信号ｓ２の変調シンボルを含むＯＦＤＭシンボルはアンテナＴｘ３で送信される。他方には、周波数セットナンバー１の図４（ｂ）の信号−ｓ２＊とｓ１＊の変調シンボルが配置され、そして信号−ｓ２＊の変調シンボルを含むＯＦＤＭシンボルはアンテナＴｘ１で送信され、信号ｓ１＊の変調シンボルを含むＯＦＤＭシンボルはアンテナＴｘ３で送信される。図６の次の２個のリソースエレメントＤ２４−１のうち、一方には、周波数セットナンバー１の図４（ｂ）の信号ｓ３とｓ４の変調シンボルが配置され、そして信号ｓ３の変調シンボルを含むＯＦＤＭシンボルはアンテナＴｘ２で送信され、信号ｓ４の変調シンボルを含むＯＦＤＭシンボルはアンテナＴｘ４で送信される。他方には、周波数セットナンバー１の図４（ｂ）の信号−ｓ４＊とｓ３＊の変調シンボルが配置され、そして信号−ｓ４＊の変調シンボルを含むＯＦＤＭシンボルはアンテナＴｘ２で送信され、信号ｓ３＊の変調シンボルを含むＯＦＤＭシンボルはアンテナＴｘ４で送信される。
【００１３】
図６の次の２個のリソースエレメントＤ１３−２のうち、一方には、周波数セットナンバー２の図４（ｂ）の信号ｓ１とｓ２の変調シンボルが配置され、そして信号ｓ１の変調シンボルを含むＯＦＤＭシンボルはアンテナＴｘ１で送信され、信号ｓ２の変調シンボルを含むＯＦＤＭシンボルはアンテナＴｘ３で送信される。他方には、周波数セットナンバー２の図４（ｂ）の信号−ｓ２＊とｓ１＊の変調シンボルが配置され、そして信号−ｓ２＊の変調シンボルを含むＯＦＤＭシンボルはアンテナＴｘ１で送信され、信号ｓ１＊の変調シンボルを含むＯＦＤＭシンボルはアンテナＴｘ３で送信される。図６の次の２個のリソースエレメントＤ２４−２のうち、一方には、周波数セットナンバー２の図４（ｂ）の信号ｓ３とｓ４の変調シンボルが配置され、そして信号ｓ３の変調シンボルを含むＯＦＤＭシンボルはアンテナＴｘ２で送信され、信号ｓ４の変調シンボルを含むＯＦＤＭシンボルはアンテナＴｘ４で送信される。他方には、周波数セットナンバー２の図４（ｂ）の信号−ｓ４＊とｓ３＊の変調シンボルが配置され、そして信号−ｓ４＊の変調シンボルを含むＯＦＤＭシンボルはアンテナＴｘ２で送信され、信号ｓ３＊の変調シンボルを含むＯＦＤＭシンボルはアンテナＴｘ４で送信される。
【００１４】
このように、４本の送信アンテナを用いたときは、下りリンク共有データチャネルの最初の時間領域のリソースエレメントから順番にＳＦＢＣ＋ＦＳＴＤの周波数セットを配置し、当該物理リソースブロックＰＲＢの当該時間領域の全てのリソースエレメントに配置した後、次の時間領域のリソースエレメントから順番に周波数セットを再度配置する。図６のように、サブフレームの下りリンク制御チャネルが３つのＯＦＤＭシンボルで構成される場合、合計２９個の周波数セットが１つの物理リソースブロックＰＲＢ内で配置される。
【００１５】
ＥＵＴＲＡでは、複数の送信方法が検討されている。移動局装置から基地局装置にフィードバックされるＣＱＩ（Channel Quality Indicator；チャネル品質指標）に基づいて基地局装置が無線伝播路品質の良い移動局装置に物理リソースブロックＰＲＢ単位で無線リソース割り当てを行う周波数スケジューリングの適用を主に想定した集中送信（Ｌｏｃａｌｉｚｅｄ送信）と、高速移動中の移動局装置、ＶｏＩＰ（Voice over Internet Protocol）などの少量のデータ送受信を周期的に行う移動局装置など周波数スケジューリングを行わない移動局装置への適用を主に想定した分散送信（Distributed送信）がある。集中送信は物理リソースブロックPＲＢ単位でまとまったサブキャリアを用いて送信を行う方法であり、分散送信は広帯域にわたって物理リソースブロックPＲＢ単位よりも更に細かい単位で周波数リソースを分散して信号の送信を行う方法である。
【００１６】
分散送信を行う移動局装置の送信データユニットをＤＶＲＢ（Distributed Virtual Resource Block；分散仮想リソースブロック）と呼ぶ。分散仮想リソースブロックＤＶＲＢの送信に用いる物理リソースブロックＰＲＢを分散物理リソースブロックＤＰＲＢという。１個の分散物理リソースブロックＤＰＲＢに多重する分散仮想リソースブロックＤＶＲＢ数を多重数Ｎｄという。また、ＥＵＴＲＡにおいては、１つの分散仮想リソースブロックＤＶＲＢが用いる物理リソース量を、１つの物理リソースブロックＰＲＢと等しくすることができる（非特許文献２）。分散物理リソースブロックＤＰＲＢ内の分散仮想リソースブロックＤＶＲＢの多重方法（以下、「分散仮想リソースブロックＤＶＲＢマッピング」という）として時間多重方法を用いることができる（非特許文献５、非特許文献６）。
【００１７】
図７は、時間多重方法を用いた分散仮想リソースブロックＤＶＲＢマッピング例の概略を説明する図である。ここでは、物理リソースブロックＰＲＢ数が周波数領域において１２個の場合について説明する。図７（ａ）は、分散物理リソースブロックＤＰＲＢが２個、多重数Ｎｄが２の場合の分散仮想リソースブロックＤＶＲＢマッピングの例である。図７（ａ）において、物理リソースブロックＰＲＢ１とＰＲＢ７を分散物理リソースブロックＤＰＲＢ１とＤＰＲＢ２として用い、各分散物理リソースブロックＤＰＲＢ１、ＤＰＲＢ２内において分散仮想リソースブロックＤＶＲＢ１とＤＶＲＢ２を時間多重し、分散物理リソースブロックＤＰＲＢ１とＤＰＲＢ２間で異なる順番で分散仮想リソースブロックＤＶＲＢ１とＤＶＲＢ２を時間多重する。
【００１８】
図７（ｂ）は、分散仮想リソースブロックＤＰＲＢが３個、多重数Ｎｄが３の場合の分散仮想リソースブロックＤＶＲＢマッピングの例である。図７（ｂ）において、物理リソースブロックＰＲＢ１とＰＲＢ５とＰＲＢ９を分散物理リソースブロックＤＰＲＢ１とＤＰＲＢ２とＤＰＲＢ３として用い、各分散物理リソースブロックＤＰＲＢ１とＤＰＲＢ２とＤＰＲＢ３内において分散仮想リソースブロックＤＶＲＢ１と分散仮想リソースブロックＤＶＲＢ２と分散仮想リソースブロックＤＶＲＢ３を時間多重し、分散物理リソースブロックＤＰＲＢ１とＤＰＲＢ２とＤＰＲＢ３間で異なる順番で分散仮想リソースブロックＤＶＲＢ１とＤＶＲＢ２とを時間多重する。
【００１９】
図７（ｃ）は、図７（ａ）と比較して分散物理リソースブロックＤＰＲＢの数と分散仮想リソースブロックＤＶＲＢの数が２倍になった場合を示している。図７（ｃ）において、物理リソースブロックＰＲＢ１とＰＲＢ４とＰＲＢ７とＰＲＢ１０を分散物理リソースブロックＤＰＲＢ１とＤＰＲＢ２とＤＰＲＢ３とＤＰＲＢ４として用いる。分散物理リソースブロックＤＰＲＢ１とＤＰＲＢ２で、分散仮想リソースブロックＤＶＲＢ１と分散仮想リソースブロックＤＶＲＢ２を時間多重し、分散物理リソースブロックＤＰＲＢ３とＤＰＲＢ４で、分散仮想リソースブロックＤＶＲＢ３とＤＶＲＢ４を時間多重する。以上のような分散仮想リソースブロックＤＶＲＢマッピングにおいて、ＤＶＲＢナンバーが基地局装置から移動局装置に通知され、移動局装置は通知されたＤＶＲＢナンバーの分散仮想リソースブロックＤＶＲＢを用いて受信を行う。
【非特許文献１】３ＧＰＰ  ＴＳ３６．２１１‐ｖ１．２．０（２００７‐０６）、Ｐｈｙｓｉｃａｌ  Ｃｈａｎｎｅｌｓ  ａｎｄ  Ｍｏｄｕｌａｔｉｏｎ（Ｒｅｌｅａｓｅ  ８）
【非特許文献２】３ＧＰＰ  ＴＳＧ  ＲＡＮ１  ＃４９，Ｋｏｂｅ，Ｊａｐａｎ，７−１１  Ｍａｙ，２００７  “Ｄｒａｆｔ  Ｒｅｐｏｒｔ  ｏｆ  ３ＧＰＰ  ＴＳＧ  ＲＡＮ  ＷＧ１  ＃４９  ｖ０．４．０”
【非特許文献３】３ＧＰＰ  ＴＳＧ  ＲＡＮ１  ＃４９ｂｉｓ，Ｏｒｌａｎｄｏ，Ｆｌｏｒｉｄａ−ＵＳＡ，２５−２９  Ｊｕｎｅ，２００７  “Ｄｒａｆｔ  Ｒｅｐｏｒｔ  ｏｆ  ３ＧＰＰ  ＴＳＧ  ＲＡＮ  ＷＧ１  ＃４９ｂ  ｖ０．１．０”
【非特許文献４】３ＧＰＰ ＴＳＧ  ＲＡＮ１  ＃４９，Ｋｏｂｅ，Ｊａｐａｎ，７−１１  Ｍａｙ，２００７，Ｒ１−０７２２３９  “Ｐｅｒｆｏｒｍａｎｃｅ  ｏｆ  ４−Ｔｘ  Ａｎｔｅｎｎａ  ｄｉｖｅｒｓｉｔｙ  ｗｉｔｈ  ｒｅａｌｉｓｔｉｃ  ｃｈａｎｎｅｌ  ｅｓｔｉｍａｔｉｏｎ”
【非特許文献５】３ＧＰＰ  ＴＳＧ  ＲＡＮ１  ＃４９ｂｉｓ，Ｏｒｌａｎｄｏ，Ｆｌｏｒｉｄａ−ＵＳＡ，２５−２９  Ｊｕｎｅ，２００７，Ｒ１−０７２９４６  “ＲＢ−ｌｅｖｅｌ  Ｄｉｓｔｒｉｂｕｔｅｄ  Ｔｒａｎｓｍｉｓｓｉｏｎ  Ｍｅｔｈｏｄ  ｆｏｒ  Ｓｈａｒｅｄ  Ｄａｔａ  Ｃｈａｎｎｅｌ  ｉｎ  Ｅ−ＵＴＲＡ  Ｄｏｗｎｌｉｎｋ”
【非特許文献６】３ＧＰＰ  ＴＳＧ  ＲＡＮ１  ＃４９ｂｉｓ，Ｏｒｌａｎｄｏ，Ｆｌｏｒｉｄａ−ＵＳＡ，２５−２９  Ｊｕｎｅ，２００７，Ｒ１−０７２６８７  “Ｅ−ＵＴＲＡ  ＤＬ  Ｄｉｓｔｒｉｂｕｔｅｄ  Ｍｕｌｔｉｐｌｅｘｉｎｇ  ａｎｄ  Ｍａｐｐｉｎｇ  Ｒｕｌｅｓ：Ｐｅｒｆｏｒｍａｎｃｅ”
【発明の開示】
【発明が解決しようとする課題】
【００２０】
しかしながら、従来の４本の送信アンテナを用いたＳＦＢＣ＋ＦＳＴＤのように、分散仮想リソースブロックＤＶＲＢを時間多重すると、リソースエレメントによって伝播路推定の精度が異なるために、分散仮想リソースブロックＤＶＲＢの受信品質が、ブロックによって異なり、均等にならないことがあるという問題がある。以下、この問題を説明する。図８は、ＳＦＢＣ＋ＦＳＴＤを適用した下りリンクフレームにおいて図７（ｂ）の分散仮想リソースブロックＤＶＲＢを適用した場合を示す図である。図８から見てわかるように、各分散物理リソースブロックＤＰＲＢにおいてアンテナＴｘ３とＴｘ４が送信する下りリンクパイロットチャネルであるリソースエレメントＲ３とＲ４からの時間領域の距離が遠い分散仮想リソースブロックＤＶＲＢが存在する。
【００２１】
図８において、分散物理リソースブロックＤＰＲＢ１では分散仮想リソースブロックＤＶＲＢ２（Ｄ１３−１１〜Ｄ２４−２０）と比較して分散仮想リソースブロックＤＶＲＢ１とＤＶＲＢ３がリソースエレメントＲ３とＲ４からの距離が遠い。同様に、分散物理リソースブロックＤＰＲＢ２では分散仮想リソースブロックＤＶＲＢ１（Ｄ１３−１１〜Ｄ２４−２０）と比較して分散仮想リソースブロックＤＶＲＢ２とＤＶＲＢ３がリソースエレメントＲ３とＲ４からの距離が遠く、分散物理リソースブロックＤＰＲＢ３ではＤＶＲＢ３と比較して分散仮想リソースブロックＤＶＲＢ１とＤＶＲＢ２がリソースエレメントＲ３とＲ４からの距離が遠い。このようにリソースエレメントＲ３とＲ４からの距離が遠いリソースエレメントでは、伝播路の時間変動が大きいと、リソースエレメントＲ３とＲ４を用いた伝播路推定精度が劣化する。
【００２２】
さらに、例えば、分散物理リソースブロックＤＰＲＢ１では分散仮想リソースブロックＤＶＲＢ１は２番目のＯＦＤＭシンボルと９番目のＯＦＤＭシンボルより推定した伝播路推定値を用いて実際に伝播路補償に用いる伝播路補償値を内挿補間により求めることができる。しかし、分散仮想リソースブロックＤＶＲＢ３は内挿補間を行うことができないため、伝播路推定精度の劣化が顕著に現れる。４本の送信アンテナを用いたＳＦＢＣ＋ＦＳＴＤでは、受信側でリソースエレメントＲ３とＲ４から推定した伝播路推定値を用いて受信信号の復調処理を行うため、劣化した伝播路推定値（伝播路補償値）を用いると受信信号を正しく復調することができなくなる。また、前述の分散送信は伝播路の時間変動の非常に大きい高速移動の移動局装置に用いることが想定されているため、伝播路推定精度の劣化は非常に大きな問題となる。
【００２３】
本発明は、このような事情に鑑みてなされたもので、その目的は、各分散仮想リソースブロックＤＶＲＢの受信品質が均等になるようなＤＶＲBマッピングを行うことができる無線通信システム、無線送信装置、無線受信装置、および無線通信方法を提供することにある。
【課題を解決するための手段】
【００２４】
この発明は上述した課題を解決するためになされたもので、本発明の無線通信システムは、無線送信装置と複数の無線受信装置とを具備し、信号を冗長化して送信する送信ダイバーシチを用いて通信する無線通信システムにおいて、前記無線送信装置は、各前記無線受信装置に宛てて送信する信号を冗長化し、冗長化による信号の組を生成する送信ダイバーシチ処理部と、複数の前記無線受信装置に宛てた前記冗長化した信号を、予め決められた幅の周波数帯および時間帯からなる物理リソースブロックに、前記冗長化による信号の組を単位として多重する多重部と、前記多重部が多重した信号を送信する送信部とを具備し、前記無線受信装置は、前記無線送信装置が送信した信号を受信する受信部と、前記受信した信号のうち、前記物理リソースブロックに多重された信号から、前記多重部による配置順に基づき当該無線受信装置宛ての信号を抽出する多重分離部と、前記抽出した信号のうち、前記冗長化による信号の組を構成する信号を合成して、冗長化前の信号を生成する送信ダイバーシチ合成部とを具備することを特徴とする。
【００２５】
また、本発明の無線通信システムは、上述の無線通信システムであって、前記無線送信装置の多重部は、前記物理リソースブロックに、前記冗長化した信号の宛先となっている前記無線受信装置が同一の順番で繰り返されるように、前記冗長化した信号を配置して多重すること特徴とする。
【００２６】
また、本発明の無線通信システムは、上述の無線通信システムであって、前記無線送信装置の多重部は、前記物理リソースブロックに、前記冗長化した信号の宛先となっている前記無線受信装置が繰り返し毎に異なる順番で繰り返されるように、前記冗長化した信号を配置して多重すること特徴とする。
【００２７】
また、本発明の無線通信システムは、上述のいずれかの無線通信システムであって、前記多重部は、前記順番が前記物理リソースブロック毎に異なるように、前記冗長化した信号を配置して多重すること特徴とする。
【００２８】
また、本発明の無線通信システムは、上述のいずれかの無線通信システムであって、前記物理リソースブロックには、制御データの信号が多重され、前記無線送信装置の送信部は、一の前記受信装置に、前記物理リソースブロックに多重される制御データの信号の量を表す情報と、前記物理リソースブロックに多重される前記冗長化した信号の宛先となっている前記受信装置の数を表す情報と、前記宛先となっている前記受信装置群における前記一の受信装置の識別番号を表す情報とを少なくとも含むパラメータを送信し、前記無線受信装置の多重分離部は、前記受信した信号のうち前記物理リソースブロックにおける信号の配置順を、前記パラメータに基づき判定し、当該無線受信装置宛ての信号を前記物理リソースブロックから抽出することを特徴とする。
【００２９】
また、本発明の無線通信システムは、上述のいずれかの無線通信システムであって、前記送信ダイバーシチ処理部による信号の冗長化は、第１の信号を第１のアンテナから送信する第１の周波数に割り当て、第２の信号を第２のアンテナから送信する前記第１の周波数に割り当て、冗長化のために前記第２の信号を変換した信号を前記第１のアンテナから送信する第２の周波数に割り当て、冗長化のために前記第１の信号を変換した信号を前記第２のアンテナから送信する前記第２の周波数に割り当て、前記冗長化による信号の組は、前記第１の信号と前記第２の信号と前記第１の信号を変換した信号と前記第２の信号を変換した信号とからなる組であることを特徴とする。
【００３０】
また、本発明の無線通信システムは、上述のいずれかの無線通信システムであって、前記送信ダイバーシチ処理部による信号の冗長化は、第１の信号を第１のアンテナから送信する第１の周波数に割り当て、第２の信号を第２のアンテナから送信する前記第１の周波数に割り当て、冗長化のために前記第２の信号を変換した信号を前記第１のアンテナから送信する第２の周波数に割り当て、冗長化のために前記第１の信号を変換した信号を前記第２のアンテナから送信する前記第２の周波数に割り当て、第３の信号を第３のアンテナから送信する第３の周波数に割り当て、第４の信号を第４のアンテナから送信する前記第３の周波数に割り当て、冗長化のために前記第４の信号を変換した信号を前記第３のアンテナから送信する前記第４の周波数に割り当て、冗長化のために前記第３の信号を変換した信号を前記第４のアンテナから送信する前記第４の周波数に割り当て、前記冗長化による信号の組は、前記第１の信号と前記第２の信号と前記第１の信号を変換した信号と前記第２の信号を変換した信号と前記第３の信号と前記第４の信号と前記第３の信号を変換した信号と前記第４の信号を変換した信号とからなる組であることを特徴とする。
【００３１】
また、本発明の無線通信システムは、上述のいずれかの無線通信システムであって、前記無線送信装置の送信部は、ＯＦＤＭ方式の信号を送信し、前記無線受信装置の受信部は、ＯＦＤＭ方式の信号を受信することを特徴とする。
【００３２】
また、本発明の無線送信装置は、信号を冗長化して送信する送信ダイバーシチを用いて複数の無線受信装置と通信する無線送信装置において、各前記無線受信装置に宛てて送信する信号を冗長化し、冗長化による信号の組を生成する送信ダイバーシチ処理部と、複数の前記無線受信装置に宛てた前記冗長化した信号を、予め決められた幅の周波数帯および時間帯からなる物理リソースブロックに、前記冗長化による信号の組を単位として多重する多重部と、前記多重部が多重した信号を送信する送信部とを具備することを特徴とする。
【００３３】
また、本発明のプログラムは、信号を冗長化して送信する送信ダイバーシチを用いて複数の無線受信装置と通信する無線送信装置が具備するコンピュータを、各前記無線受信装置に宛てて送信する信号を冗長化し、冗長化による信号の組を生成する送信ダイバーシチ処理部、複数の前記無線受信装置に宛てた前記冗長化した信号を、予め決められた幅の周波数帯および時間帯からなる物理リソースブロックに、前記冗長化による信号の組を単位として多重する多重部、前記多重部が多重した信号を送信する送信部として機能させるためのプログラム。
【００３４】
また、本発明の無線受信装置は、信号が冗長化されて送信される送信ダイバーシチを用いて無線送信装置と通信する無線受信装置において、前記無線送信装置が送信した信号を受信する受信部と、前記受信した信号のうち、予め決められた幅の周波数帯および時間帯からなる物理リソースブロックに多重された信号から、前記無線送信装置による配置順に基づき当該無線受信装置宛ての信号を抽出する多重分離部と、前記抽出した信号のうち、前記冗長化による信号の組を構成する信号を合成して、該冗長化前の信号を生成する送信ダイバーシチ合成部とを具備することを特徴とする。
【００３５】
また、本発明のプログラムは、信号が冗長化されて送信される送信ダイバーシチを用いて無線送信装置と通信する無線受信装置が具備するコンピュータを、前記無線送信装置が送信した信号を受信する受信部、前記受信した信号のうち、予め決められた幅の周波数帯および時間帯からなる物理リソースブロックに多重された信号から、前記無線送信装置による配置順に基づき当該無線受信装置宛ての信号を抽出する多重分離部、前記抽出した信号のうち、前記冗長化による信号の組を構成する信号を合成して、該冗長化前の信号を生成する送信ダイバーシチ合成部として機能させる。
【００３６】
また、本発明の無線通信方法は、無線送信装置と複数の無線受信装置とを具備し、信号を冗長化して送信する送信ダイバーシチを用いて通信する無線通信システムにおける無線通信方法であって、前記無線送信装置が、各前記無線受信装置に宛てて送信する信号を冗長化し、冗長化による信号の組を生成する第１の過程と、前記無線送信装置が、複数の前記無線受信装置に宛てた前記冗長化した信号を、予め決められた幅の周波数帯および時間帯からなる物理リソースブロックに、前記冗長化による信号の組を単位として多重する第２の過程と、前記無線送信装置が、前記多重部が多重した信号を送信する第３の過程と、前記無線受信装置が、前記無線送信装置が送信した信号を受信する第４の過程と、前記無線受信装置が、前記受信した信号のうち、前記物理リソースブロックに多重された信号から、前記第２の過程による配置順に基づき当該無線受信装置宛ての信号を抽出する第５の過程と、前記無線受信装置が、前記抽出した信号のうち、前記冗長化による信号の組を構成する信号を合成して、冗長化前の信号を生成する第６の過程とを備えることを特徴とする無線通信方法。
【発明の効果】
【００３７】
この発明によれば、無線受信装置に宛てて送信する信号を冗長化し、冗長化による信号の組を生成し、複数の無線受信装置に宛てた冗長化した信号を、冗長化による信号の組を単位として物理リソースブロックに多重するので、分散仮想リソースブロックＤＶＲＢの受信品質が均等になるようなＤＶＲBマッピングを行うことができる。
【発明を実施するための最良の形態】
【００３８】
以下、図面を参照し、本発明の実施形態について説明する。本実施形態による無線通信システムは、４本の送信アンテナを用いたＳＦＢＣ＋ＦＳＴＤにて送信する無線送信装置である基地局装置１と、該基地局装置１が送信した信号を受信する無線受信装置である複数の移動局装置２とを具備する。図９は、本発明の実施形態における基地局装置１の概略ブロック図である。図９に示すように、基地局装置１は、無線リソース制御部３、制御部４、送信処理部５、受信処理部６を具備する。
【００３９】
無線リソース制御部３は、移動局装置２との間欠送受信サイクル、変調方式・符号化率、送信電力、無線リソース割り当て、下りリンク制御チャネルを構成するＯＦＤＭシンボル数、多重などを管理し、これら管理内容を指示する制御情報を制御部４に出力すると共に、制御部４、送信処理部５を通して移動局装置２に制御データとして通知する。制御部４は、無線リソース制御部３から入力された制御情報に基づいて送信処理部５と受信処理部６の制御を行うために、送信処理部５と受信処理部６に制御信号を出力する。制御部４は、送受信信号の変調方式、符号化率の設定、下りリンク制御チャネルが構成するＯＦＤＭシンボル数の設定、リソースエレメントへの配置設定などの制御を、送信処理部５および受信処理部６に対して行う。また、制御部４は、下りリンク制御チャネルに配置する制御データであるＬ１／Ｌ２制御データ（Ｌａｙｅｒ１／Ｌａｙｅｒ２制御データ）を生成し、送信処理部５に送信を指示する。また、制御部４は、下りリンク制御チャネルではなく下りリンク共有データチャネルに配置する制御データを生成し、送信処理部５に情報データと共にデータとして送信を行うように指示する。
【００４０】
送信処理部５は、制御部４からの入力に基づき、下りリンク制御チャネル、下りリンク共有データチャネル、下りリンクパイロットチャネル、制御フォーマットインディケータチャネルを生成し、複数の、例えば４つの送信アンテナａ１〜ａ４を介して、各移動局装置２に送信する。なお、本発明とは直接の関連がないため、報知チャネル、下りリンク同期チャネルに関する説明は省略する。受信処理部６は、制御部４からの入力に基づき、各移動局装置２が送信した上りリンク制御チャネル、上りリンク共有データチャネル、上りリンクパイロットチャネル、ランダムアクセスチャネルの受信を受信アンテナａ５を介して行う。なお、本発明とは直接の関連がないため、上りリンクに関する説明は省略する。
【００４１】
図１０は、本実施形態における基地局装置１の送信処理部５の内部構成を示す概略ブロック図である。基地局装置１の送信処理部５は、複数のデータチャネル処理部１０と、制御チャネル処理部１１と、参照信号生成部１２と、制御フォーマットインディケータ信号生成部１３と、多重部１４と、送信アンテナ毎にＩＦＦＴ（Inverse Fast Fourier Transform：高速逆フーリエ変換）部１５と、ＧＩ（Guard Interval：ガードインターバル）挿入部１６と、Ｄ／Ａ（ディジタル／アナログ変換）部１７と、送信ＲＦ（Radio Frequency；無線周波数）部１８とを具備する。複数のデータチャネル処理部１０は同様の構成及び機能を有するので、その一つを代表して説明する。
【００４２】
データチャネル処理部１０は、下りリンク共有データチャネルの処理を行う、すなわち各々のデータチャネル処理部１０が、いずれか一つの移動局装置２宛ての情報データを受けて、該移動局装置２宛ての分散仮想リソースブロックの信号を生成する。データチャネル処理部１０は、ターボ符号部２０と、データ変調部２１と、送信ダイバーシチ処理部２２とを具備する。制御チャネル処理部１１は、下りリンク制御チャネルの処理を行う。制御チャネル処理部１１は、畳み込み符号部３０と、ＱＰＳＫ変調部３１と、送信ダイバーシチ処理部３２とを具備する。
【００４３】
複数のデータチャネル処理部１０各々は、情報データ、および制御部４から入力された制御データから構成されるデータをＯＦＤＭ方式で伝送するためのベースバンド処理を行う。ターボ符号部２０は、制御部４からの符号化率の指示に従い、入力されたデータの誤り耐性を高めるためのターボ符号による誤り訂正符号化を行う。データ変調部２１は、ＱＰＳＫ（Quadrature Phase Shift Keying；４相位相偏移変調）、１６ＱＡＭ（１６Quadrature Amplitude Modulation；１６値直交振幅変調）、６４ＱＡＭ（６４Quadrature Amplitude Modulation；６４値直交振幅変調）等のような変調方式のうち制御部４から指示された変調方式で、ターボ符号部２０により誤り訂正符号化されたデータを変調する。本実施形態では、ＡＭＣＳ（Adaptive Modulation Coding Scheme；適応変復調・誤り訂正方式）を用いるので、この変調方式は適宜変更される。送信ダイバーシチ処理部２２は、データ変調部２１により変調された信号ｓｎを符号反転、共役転置して信号ｓｎ＊を生成することで各移動局装置２に宛てて送信する信号を冗長化する。そして送信ダイバーシチ処理部２２は、冗長化による信号の組として、２送信アンテナを用いた送信ダイバーシチの場合はＳＦＢＣ処理を行う周波数ペア（ｓ１、ｓ２、ｓ１＊、−ｓ２＊）を生成し、４送信アンテナを用いた送信ダイバーシチの場合はＳＦＢＣ＋ＦＳＴＤ処理を行う周波数セット（ｓ１、ｓ２、ｓ１＊、−ｓ２＊、ｓ３、ｓ４、ｓ３＊、−ｓ４＊）を生成する。
【００４４】
制御チャネル処理部１１は、Ｌ１／Ｌ２制御データをＯＦＤＭ方式で伝送するためのベースバンド処理を行う。畳み込み符号部３０は、制御部４から入力されたＬ１／Ｌ２制御データの誤り耐性を高めるための畳み込み符号による誤り訂正符号化を行う。ＱＰＳＫ変調部３１は、畳み込み符号部３０により誤り訂正符号化されたＬ１／Ｌ２制御データをＱＰＳＫ変調方式で変調する。送信ダイバーシチ処理部３２は、送信ダイバーシチ処理部２２と同様に、２送信アンテナを用いた送信ダイバーシチの場合はＳＦＢＣ処理を行う２サブキャリア×２送信アンテナ分の送信信号の組みである周波数ペアを生成し、４送信アンテナを用いた送信ダイバーシチの場合はＳＦＢＣ＋ＦＳＴＤ処理を行う４サブキャリア×４送信アンテナ分の送信信号の組みである周波数セットを生成する。
【００４５】
参照信号生成部１２は、下りリンクパイロットチャネルで基地局装置１の各送信アンテナが送信する参照信号を生成する。制御フォーマットインディケータ信号生成部１３は、下りリンク制御チャネルが構成するＯＦＤＭ信号を示す情報を制御フォーマットインディケータチャネルで送信する制御フォーマットインディケータ信号を生成する。多重部１４は、データチャネル処理部１０が出力した符号化及び変調等の処理済の各移動局装置２宛ての情報データの送信信号と、制御チャネル処理部１１が出力した符号化及び変調等の処理済みのＬ１／Ｌ２制御データの送信信号と、制御フォーマットインディケータ信号と、参照信号とをリソースエレメントに配置する。本発明の対象とする分散送信時には、分散送信用の物理リソースブロックＰＲＢである分散物理リソースブロックＤＰＲＢに、送信ダイバーシチ処理部２２が生成した冗長化による信号の組を単位として多重する。この多重による、下りリンク共有データチャネルのリソースエレメントへの信号配置に関する説明は後述する。
【００４６】
ＩＦＦＴ部１５は、多重部１４から入力された信号を高速逆フーリエ変換し、ＯＦＤＭ方式の変調を行う。ＧＩ挿入部１６は、ＯＦＤＭ変調済みの信号にガードインターバルを付加することで、ＯＦＤＭ方式におけるシンボルを生成する。ガードインターバルは、伝送するシンボルの先頭又は末尾の一部を複製する公知の方法によって得る。Ｄ／Ａ部１７は、ＧＩ挿入部１６から入力されたベースバンドのディジタル信号をアナログ信号に変換する。送信ＲＦ部１８は、Ｄ／Ａ部１７から入力されたアナログ信号から、中間周波数の同相成分及び直交成分を生成し、中間周波数帯域に対する余分な周波数成分を除去し、中間周波数の信号を高周波数の信号に変換（アップコンバート）し、余分な周波数成分を除去し、電力増幅し、送信アンテナａ１〜ａ４のいずれかに出力する。なお、本実施形態では、ＩＦＦＴ部１５とＧＩ挿入部１６とＤ／Ａ部１７と送信ＲＦ部１８とで送信部として機能する。基地局装置１は、この送信部を、送信に使用される送信アンテナａ１〜ａ４の数だけ、すなわち、本実施形態では４つ具備し、各送信部は多重部１４が出力した各送信アンテナａ１〜ａ４向けの信号を処理する。
【００４７】
図１１は、本発明の実施形態における移動局装置２の概略ブロック図である。図１１に示すように、移動局装置２は、制御部７、送信処理部８、受信処理部９を有する。受信処理部９は、受信アンテナａ６を介して基地局装置１から受信した下りリンク制御チャネル、下りリンク共有データチャネル、下りリンクパイロットチャネル、制御フォーマットインディケータチャネルに対し受信処理を行う。制御部７は、基地局装置１より下りリンク制御チャネル、下りリンク共有データチャネルを用いて通知された制御データに基づいて、送信処理部８、受信処理部９を制御する。また、制御部７は、基地局装置１より通知されたＤＶＲＢマッピングに関する制御情報（多重数Ｎｄの値、分散物理リソースブロックＤＰＲＢの周波数配置、分散仮想リソースブロックＤＶＲＢナンバー）、制御フォーマットインディケータに基づき、自移動局装置に分散送信された信号が配置されたリソースエレメントを検出し、受信した信号を抽出する制御信号を受信処理部９に出力する。自移動局装置に分散送信された信号が配置されたリソースエレメントの検出方法は後述する。
【００４８】
図１２は、本実施形態における移動局装置２の受信処理部９の内部構成を示す概略ブロック図である。移動局装置２の受信処理部９は、受信ＲＦ部４０と、Ａ／Ｄ部４１と、ＧＩ除去部４２と、ＦＦＴ部４３と、多重分離部４４と、伝播路推定部４５と、伝播路補償部４６，４７，４８と、制御フォーマットインディケータ検出部５５と、送信ダイバーシチ合成部４９、５２と、データ復調部５０と、ターボ復号部５１と、ＱＰＳＫ復調部５３と、ビタビデコーダ部５４とを具備する。本実施形態では、受信ＲＦ部４０とＡ／Ｄ部４１とＧＩ除去部４２とＦＦＴ部４３とで、受信部として機能する。
【００４９】
受信ＲＦ部４０は、受信アンテナａ６を介して受信した信号を増幅し、中間周波数に変換し（ダウンコンバート）、不要な周波数成分を除去し、信号レベルが適切に維持されるように増幅レベルを制御し、受信した信号の同相成分及び直交成分に基づいて、直交復調する。Ａ／Ｄ部４１は、受信ＲＦ部４０により直交復調されたアナログ信号をディジタル信号に変換する。ＧＩ除去部４２は、Ａ／Ｄ部４１の出力したディジタル信号からガードインターバルに相当する部分を除去する。ＦＦＴ部４３は、ＧＩ除去部４２から入力された信号を高速フーリエ変換し、ＯＦＤＭ方式の復調を行う。
【００５０】
多重分離部４４は、制御部７からの指示に基づき、ＦＦＴ部４３がフーリエ変換した信号、すなわちＯＦＤＭ方式により復調された受信信号から下りリンクパイロットチャネル（パイロットチャネル）、制御フォーマットインディケータチャネル、下りリンク共有データチャネル（データチャネル）、下りリンク制御チャネル（制御チャネル）を、配置されたリソースエレメントから抽出して、出力する。具体的には、多重分離部４４は、固定の配置である下りリンクパイロットチャネルと制御フォーマットインディケータチャネルを抽出して、下りリンクパイロットチャネルは伝播路推定部４５に出力し、制御フォーマットインディケータチャネルは伝播路補償部４６に出力する。さらに、多重分離部４４は、制御フォーマットインディケータチャネルに含まれる情報に基づいて下りリンク制御チャネルを抽出して、伝播路補償部４８に出力する。また、多重分離部４４は、下りリンク制御チャネルに含まれる情報に基づいて下りリンク共有データチャネルを抽出して、伝播路補償部４７に出力する。多重分離部４４は、分散送信された下りリンク共有データチャネル、すなわち分散物理リソースブロックＤＰＲＢの下りリンク共有データチャネルに多重化された信号から、基地局装置１の多重部１４による信号配置順に基づき当該移動局装置２宛ての信号を抽出する。この抽出方法（リソースエレメントの検出方法）については後述する。
【００５１】
伝播路推定部４５は、多重分離部４４が分離した下りリンクパイロットチャネルに配置された既知の参照信号の受信結果に基づいて基地局装置１の送信アンテナａ１〜ａ４各々に対する伝播路変動を推定し、伝播路変動補償値を出力する。伝播路補償部４６、４７、４８は、伝播路推定部４５からの伝播路変動補償値に基づいて、入力された信号の伝播路変動の補償を行う。制御フォーマットインディケータ検出部５５は、伝播路変動の補償が行われた制御フォーマットインディケータチャネルに配置された信号から下りリンク制御チャネルが構成されるＯＦＤＭシンボル数を示す制御フォーマットインディケータの情報を検出し、制御部７に出力する。送信ダイバーシチ合成部４９、５２は、伝播路補償部４７または４８が伝播路変動の補償を行った信号について、基地局装置１における冗長化による信号の組を構成する信号を合成して冗長化前の信号を生成する。このときの合成には、基地局装置１で用いられた送信ダイバーシチ方式に応じた合成を行う。
【００５２】
この送信ダイバーシチ合成部４９、５２による合成処理について説明する。ただし、ＳＦＢＣ＋ＦＳＴＤは、異なる周波数ペアで２つのＳＦＢＣを行っているに過ぎない、すなわち、ＳＦＢＣ＋ＦＳＴＤのときは、ＳＦＢＣの場合の合成処理を２回繰り返すだけなので、ＳＦＢＣの合成処理について説明する。なお、図３、図４（ｂ）の符号を適宜説明に用いる。周波数ｆ１の受信信号をｒ１、周波数ｆ２の受信信号をｒ２とする。
送信アンテナＴｘ１、Ｔｘ３のペア、送信アンテナＴｘ２、Ｔｘ４のペアのＳＦＢＣのそれぞれに対してＳＦＢＣ合成としてアラムーチ（Ａｌａｍｏｕｔｉ）合成を行う。ここでは前述のように、送信アンテナＴｘ１、Ｔｘ３のペアのＳＦＢＣに対するアラムーチ合成（詳細は、Ｓ．Ｍ．Ａｌａｍｏｕｔｉ， “Ａ Ｓｉｍｐｌｅ Ｔｒａｎｓｍｉｔ Ｄｉｖｅｒｓｉｔｙ Ｔｅｃｈｎｉｑｕｅ ｆｏｒ Ｗｉｒｅｌｅｓｓ Ｃｏｍｍｕｎｉｃａｔｉｎｓ”，ＩＥＥＥ，Ｊｏｕｒｎａｌ ｏｎ Ｓｅｌｅｃｔｅｄ Ａｒｅａｓ ｏｆ Ｃｏｍｍｕｎｉｃａｔｉｎｓ，１９９８ Ｖｏｌ．１６ Ｎｏ．８）について説明する。
【００５３】
先ず、下りリンクパイロットチャネルＲ１より送信アンテナＴｘ１の送信信号に対する伝播路推定値Ｈ１、下りリンクパイロットチャネルＲ３より送信アンテナＴｘ３の送信信号に対する伝播路推定値Ｈ３を得る。次に、伝播路推定値Ｈ１の共役転置Ｈ１＊と受信信号ｒ１を乗算し、伝播路推定値Ｈ３と受信信号ｒ２の共役転置ｒ２＊とを乗算し、両結果を加算して、ｓ１に対する合成信号ｃ１を得る。次に、伝播路推定値Ｈ３の共役転置Ｈ３＊と受信信号ｒ１を乗算し、伝播路推定値Ｈ１の符号反転（−Ｈ１）と受信信号ｒ２の共役転置ｒ２＊とを乗算し、両結果を加算して、ｓ２の合成信号ｃ２を得る。結果として、ｃ１、ｃ２のそれぞれは伝播路推定値Ｈ１と伝播路推定値Ｈ３の振幅を二乗したものでｓ１、ｓ２のそれぞれを重み付け合成した信号であり、重み付けによりデータ復調部５０における復調性能を向上させる。
なお、演算が簡易な線形処理であるアラムーチ合成を行い、最適な特性を得るためには、周波数ｆ１とｆ２における伝播路変動が同じである必要がある。そのため、ＳＦＢＣは伝播路変動が最も近い周波数が隣り同士のリソースエレメントのペアで行う。
【００５４】
データ復調部５０は、送信ダイバーシチ合成部４９により合成された下りリンク共有データチャネルの復調を行う。この復調は、基地局装置１のデータ変調部２１で用いた変調方式に対応したものが行われ、変調方式に関する情報は制御部７から指示される。ターボ復号部５１は、データ復調部５０が復調した下りリンク共有データチャネルを復号する。この復号は、基地局装置１のターボ符号部で用いた符号化率に対応したものが行われ、符号化率に関する情報は制御部７から指示される。ＱＰＳＫ復調部５３は、送信ダイバーシチ合成部５２により合成された下りリンク制御チャネルのＱＰＳＫ復調を行う。ビタビデコーダ部５４は、ＱＰＳＫ復調部５３が復調した下りリンク制御チャネルを復号する。
【００５５】
次に、４本の送信アンテナを用いたＳＦＢＣ＋ＦＳＴＤを適用した分散送信する下りリンク共有データチャネル、すなわち分散仮想リソースブロックＤＶＲＢを用いて送信する下りリンク共有データチャネルのリソースエレメントへの配置方法、すなわちＤＶＲＢマッピングについて説明する。基地局装置１の多重部１４は、該配置方法を用いてリソースエレメントを配置する。また、移動局装置２の多重分離部４４は、この配置方法に基づいて各チャネル、すなわち各分散仮想リソースブロックＤＶＲＢのリソースエレメントを判定して信号を抽出する。
【００５６】
本発明のＤＶＲＢマッピングは、ＳＦＢＣ＋ＦＳＴＤの周波数セットを１ユニットとして、１つの分散物理リソースブロックＤＰＲＢに多重する分散仮想リソースブロックＤＶＲＢ各々の下りリンク共有データチャネルの信号をユニット単位で順番に分散物理リソースブロックＤＰＲＢ内に配置する。順番に配置する周期は、１分散物理リソースブロックＤＰＲＢに多重する分散仮想リソースブロックＤＶＲＢ数である多重数Ｎｄであり、１番目の分散仮想リソースブロックＤＶＲＢ１からＮｄ番目の分散仮想リソースブロックＤＶＲＢ  Ｎｄの信号、すなわちＳＦＢＣ＋ＦＳＴＤの周波数セットを１つずつ順番に配置した後、再度１番目の分散仮想リソースブロックＤＶＲＢ１の信号から配置するという処理を全ての周波数セットに対して配置し終えるまで繰り返す。更に、各分散物理リソースブロックＤＰＲＢ間で配置する分散仮想リソースブロックＤＶＲＢの順番をシフトして行う。これにより、分散物理リソースブロック毎に分散仮想リソースブロックＤＶＲＢの順番が異なるようになる。
【００５７】
図１３は、下りリンク制御チャネルが３つのＯＦＤＭシンボルから構成され、多重数Ｎｄが２の場合のＤＶＲＢマッピングを説明する図である。すなわち、第１の移動局装置２宛ての信号からなる分散仮想リソースブロックＤＶＲＢ１と、第２の移動局装置２宛ての信号からなる分散仮想リソースブロックＤＶＲＢ２との、分散物理リソースブロックＤＰＲＢ１、ＤＰＲＢ２への基地局装置１の多重部１４によるマッピングを説明する図である。同時に移動局装置２の多重分離部４４は該マッピング内容に基づき、当該移動局装置２宛ての分散仮想リソースブロックＤＶＲＢを抽出する。なお、図１４、１６、１７、１９、２０、２２についても同様である。
【００５８】
本実施形態においても、従来のＥＵＴＲＡと同様に、下りリンクフレームは、無線リソース割り当てなどの単位であり、予め決められた幅の周波数帯および時間帯からなる物理リソースブロックＰＲＢから構成されている。１個の物理リソースブロックＰＲＢは周波数領域において１２個のサブキャリアから構成され、時間領域において１４個のＯＦＤＭシンボルから構成される。１個のサブキャリアと１個のＯＦＤＭシンボルから構成されるユニットをリソースエレメントと呼ぶ。図１３に示すように、下りリンク制御チャネルが３ＯＦＤＭシンボルから構成され、下りリンクパイロットチャネルが１、２、５、８、９、１２番目のＯＦＤＭシンボルの１、４、７、１０番目のサブキャリアから構成されているときは、各物理リソースブロックＰＲＢ内においてＳＦＢＣ＋ＦＳＴＤの周波数セットは２９個構成される。そして、分散物理リソースブロックＤＰＲＢ１においてＳＦＢＣ＋ＦＳＴＤの周波数セットの２ｎ−１（ｎ＝１，．．．１５）番目に、分散仮想リソースブロックＤＶＲＢ１の周波数セットの２ｎ−１（ｎ＝１，．．．１５）番目の信号が順番に配置される。また、分散物理リソースブロックＤＰＲＢ１においてＳＦＢＣ＋ＦＳＴＤの周波数セットの２ｎ（ｎ＝１，．．．１４）番目に、分散仮想リソースブロックＤＶＲＢ２の周波数セットの２ｎ（ｎ＝１，．．．１４）番目の信号が順番に配置される。ここで、２ｎ−１（ｎ＝１，．．．１５）番目および２ｎ（ｎ＝１，．．．１４）番目は周波数セットナンバーを示す。
【００５９】
一方、分散物理リソースブロックＤＰＲＢ２においては周波数セットに信号を配置する分散仮想リソースブロックＤＶＲＢの順番を分散物理リソースブロックＤＰＲＢ１の場合からシフトする。分散物理リソースブロックＤＰＲＢ２においてＳＦＢＣ＋ＦＳＴＤの周波数セットの２ｎ−１（ｎ＝１，．．．１５）番目に、分散仮想リソースブロックＤＶＲＢ２の周波数セットの２ｎ−１（ｎ＝１，．．．１５）番目の信号が順番に配置される。また、分散物理リソースブロックＤＰＲＢ２においてＳＦＢＣ＋ＦＳＴＤの周波数セットの２ｎ（ｎ＝１，．．．１４）番目に、分散仮想リソースブロックＤＶＲＢ１のＳＦＢＣ＋ＦＳＴＤの周波数セットの２ｎ（ｎ＝１，．．．１４）番目の信号が順番に配置される。分散仮想リソースブロックＤＶＲＢ１とＤＶＲＢ２はそれぞれ、分散物理リソースブロックＤＰＲＢ１とＤＰＲＢ２で総合して２９個のＳＦＢＣ＋ＦＳＴＤの周波数セットが構成され、１物理リソースブロックＰＲＢのリソースエレメント量と等しくなる。
【００６０】
なお、ここでは、分散物理リソースブロックＤＰＲＢ内におけるＳＦＢＣ＋ＦＳＴＤの周波数セットの周波数セットナンバーと、分散仮想リソースブロックＤＶＲＢの周波数セットの周波数セットナンバーが同じ場合について示したが、異なってもよい。例えば、分散物理リソースブロックＤＰＲＢ１のＳＦＢＣ＋ＦＳＴＤの周波数セットの２ｎ−１（ｎ＝１，．．．１５）番目に、２９個のＳＦＢＣ＋ＦＳＴＤの周波数セットから構成される分散仮想リソースブロックＤＶＲＢ１の周波数セットのｍ（ｍ＝１，．．．１５）番目の信号が順番に配置され、分散物理リソースブロックＤＰＲＢ２においてＳＦＢＣ＋ＦＳＴＤの周波数セットの２ｎ（ｎ＝１，．．．１４）番目に、分散仮想リソースブロックＤＶＲＢ１の周波数セットのｍ（ｍ＝１６，．．．２９）番目の信号が順番に配置されるようにすることもできる。
【００６１】
図１４は、下りリンク制御チャネルが３つのＯＦＤＭシンボルから構成され、多重数Ｎｄが３の場合のＤＶＲＢマッピングを説明する図である。すなわち、第１の移動局装置２宛ての信号からなる分散仮想リソースブロックＤＶＲＢ１と、第２の移動局装置２宛ての信号からなる分散仮想リソースブロックＤＶＲＢ２と、第３の移動局装置２宛ての信号からなる分散仮想リソースブロックＤＶＲＢ３との、分散物理リソースブロックＤＰＲＢ１、ＤＰＲＢ２、ＤＰＲＢ３へのマッピングを説明する図である。図１３と同様に図１４においても各物理リソースブロックＰＲＢ内においてＳＦＢＣ＋ＦＳＴＤの周波数セットは２９個構成される。分散物理リソースブロックＤＰＲＢ１においてＳＦＢＣ＋ＦＳＴＤの周波数セットの３ｎ−２（ｎ＝１，．．．１０）番目に、分散仮想リソースブロックＤＶＲＢ１の周波数セットの３ｎ−２（ｎ＝１，．．．１０）番目の信号が順番に配置される。また、分散物理リソースブロックＤＰＲＢ１においてＳＦＢＣ＋ＦＳＴＤの周波数セットの３ｎ−１（ｎ＝１，．．．１０）番目に、分散仮想リソースブロックＤＶＲＢ２の周波数セットの３ｎ−１（ｎ＝１，．．．１０）番目の信号が順番に配置される。また、分散物理リソースブロックＤＰＲＢ１においてＳＦＢＣ＋ＦＳＴＤの周波数セットの３ｎ（ｎ＝１，．．．９）番目に、分散仮想リソースブロックＤＶＲＢ３の周波数セットの３ｎ（ｎ＝１，．．．９）番目の信号が順番に配置される。
【００６２】
一方、分散物理リソースブロックＤＰＲＢ２、ＤＰＲＢ３においては周波数セットに信号を配置する分散仮想リソースブロックＤＶＲＢの順番を分散物理リソースブロックＤＰＲＢ１、ＤＰＲＢ２と比較して１つシフトする。すなわち、分散物理リソースブロックＤＰＲＢ１においては、分散仮想リソースＤＶＲＢ１、ＤＶＲＢ２、ＤＶＲＢ３の順番で周波数セットを配置したが、分散物理リソースブロックＤＰＲＢ２においては、分散仮想リソースＤＶＲＢ２、ＤＶＲＢ３、ＤＶＲＢ１の順番で周波数セットを配置し、分散物理リソースブロックＤＰＲＢ３においては、分散仮想リソースＤＶＲＢ３、ＤＶＲＢ１、ＤＶＲＢ２の順番で周波数セットを配置する。
【００６３】
分散物理リソースブロックＤＰＲＢ２において分散仮想リソースブロックＤＶＲＢ２はＳＦＢＣ＋ＦＳＴＤの周波数セットの３ｎ−２（ｎ＝１，．．．１０）番目に順番に３ｎ−２（ｎ＝１，．．．１０）番目の周波数セットの信号が配置され、分散仮想リソースブロックＤＶＲＢ３はＳＦＢＣ＋ＦＳＴＤの周波数セットの３ｎ−１（ｎ＝１，．．．１０）番目に順番に３ｎ−１（ｎ＝１，．．．１０）番目の周波数セットの信号が配置され、分散仮想リソースブロックＤＶＲＢ１はＳＦＢＣ＋ＦＳＴＤの周波数セットの３ｎ（ｎ＝１，．．．９）番目に順番に３ｎ（ｎ＝１，．．．９）番目の周波数セットの信号が配置される。
【００６４】
さらに、分散物理リソースブロックＤＰＲＢ３においては上述のように周波数セットに信号を配置する分散仮想リソースＤＶＲＢの順番を分散物理リソースブロックＤＰＲＢ２と比較して１つシフトする。ここで、分散仮想リソースブロックＤＶＲＢが分散物理リソースブロックＤＰＲＢ１における順番とは異なる順番になるようにシフトする。分散物理リソースブロックＤＰＲＢ３において分散仮想リソースブロックＤＶＲＢ３はＳＦＢＣ＋ＦＳＴＤの周波数セットの３ｎ−２（ｎ＝１，．．．１０）番目に順番に信号が配置され、ＤＶＲＢ１はＳＦＢＣ＋ＦＳＴＤの周波数セットの３ｎ−１（ｎ＝１，．．．１０）番目に順番に信号が配置され、分散仮想リソースブロックＤＶＲＢ２はＳＦＢＣ＋ＦＳＴＤの周波数セットの３ｎ（ｎ＝１，．．．９）番目に順番に信号が配置される。分散仮想リソースブロックＤＶＲＢ１とＤＶＲＢ２とＤＶＲＢ３はそれぞれ、分散物理リソースブロックＤＰＲＢ１とＤＰＲＢ２とＤＰＲＢ３で総合して２９個のＳＦＢＣ＋ＦＳＴＤの周波数セットが構成され、１ＰＲＢのリソースエレメント量と等しくなる。
【００６５】
次に、下りリンク制御チャネルが２つのＯＦＤＭシンボルから構成される場合について説明する。図１５は、下りリンク制御チャネルが２つのＯＦＤＭシンボルから構成される場合の下りリンク共有データチャネルに対するＳＦＢＣ＋ＦＳＴＤの周波数セットの配置を説明する図である。この場合、下りリンクパイロットチャネルは、下りリンク制御チャネルが３ＯＦＤＭシンボルから構成される場合と同様に配置され、各物理リソースブロックＰＲＢ内においてＳＦＢＣ＋ＦＳＴＤの周波数セットは３２個構成される。
【００６６】
図１６は、下りリンク制御チャネルが２ＯＦＤＭシンボルから構成され、多重数Ｎｄが２の場合のＤＶＲＢマッピングを説明するための図である。分散物理リソースブロックＤＰＲＢ１において分散仮想リソースブロックＤＶＲＢ１はＳＦＢＣ＋ＦＳＴＤの周波数セットの２ｎ−１（ｎ＝１，．．．１６）番目に、順番に２ｎ−１（ｎ＝１，．．．１６）番目の周波数セットの信号が配置され、分散仮想リソースブロックＤＶＲＢ２はＳＦＢＣ＋ＦＳＴＤの周波数セットの２ｎ（ｎ＝１，．．．１６）番目に、順番に２ｎ（ｎ＝１，．．．１６）番目の信号が配置される。一方、分散物理リソースブロックＤＰＲＢ２においては周波数セットに信号を配置する分散仮想リソースブロックＤＶＲＢの順番をシフトする。分散物理リソースブロックＤＰＲＢ２において分散仮想リソースブロックＤＶＲＢ２はＳＦＢＣ＋ＦＳＴＤの周波数セットの２ｎ−１（ｎ＝１，．．．１６）番目に、順番に２ｎ−１（ｎ＝１，．．．１６）番目の周波数セットの信号が配置され、分散仮想リソースブロックＤＶＲＢ１はＳＦＢＣ＋ＦＳＴＤの周波数セットの２ｎ（ｎ＝１，．．．１６）番目に、順番に２ｎ（ｎ＝１，．．．１６）番目の周波数セットの信号が配置される。分散仮想リソースブロックＤＶＲＢ１とＤＶＲＢ２はそれぞれ、分散物理リソースブロックＤＰＲＢ１とＤＰＲＢ２で総合して３２個のＳＦＢＣ＋ＦＳＴＤの周波数セットが構成され、１物理リソースブロックＰＲＢのリソースエレメント量と等しくなる。
【００６７】
図１７は、下りリンク制御チャネルが２つのＯＦＤＭシンボルから構成され、多重数Ｎｄが３の場合のＤＶＲＢマッピングを説明するための図である。分散物理リソースブロックＤＰＲＢ１において分散仮想リソースブロックＤＶＲＢ１はＳＦＢＣ＋ＦＳＴＤの周波数セットの３ｎ−２（ｎ＝１，．．．１１）番目に、順番に３ｎ−２（ｎ＝１，．．．１１）番目の周波数セットの信号が配置され、分散仮想リソースブロックＤＶＲＢ２はＳＦＢＣ＋ＦＳＴＤの周波数セットの３ｎ−１（ｎ＝１，．．．１１）番目に、順番に３ｎ−１（ｎ＝１，．．．１１）番目の周波数セットの信号が配置され、分散仮想リソースブロックＤＶＲＢ３はＳＦＢＣ＋ＦＳＴＤの周波数セットの３ｎ（ｎ＝１，．．．１０）番目に、順番に３ｎ（ｎ＝１，．．．１０）番目に信号が配置される。
【００６８】
一方、分散物理リソースブロックＤＰＲＢ２においては周波数セットに信号を配置する分散仮想リソースブロックＤＶＲＢの順番を分散物理リソースブロックＤＰＲＢ１と比較して１つシフトする。分散物理リソースブロックＤＰＲＢ２において分散仮想リソースブロックＤＶＲＢ２はＳＦＢＣ＋ＦＳＴＤの周波数セットの３ｎ−２（ｎ＝１，．．．１１）番目に、順番に３ｎ−２（ｎ＝１，．．．１１）番目の周波数セットの信号が配置され、分散仮想リソースブロックＤＶＲＢ３はＳＦＢＣ＋ＦＳＴＤの周波数セットの３ｎ−１（ｎ＝１，．．．１１）番目に、順番に３ｎ−１（ｎ＝１，．．．１１）番目の信号が配置され、分散仮想リソースブロックＤＶＲＢ１はＳＦＢＣ＋ＦＳＴＤの周波数セットの３ｎ（ｎ＝１，．．．１０）番目に、順番に３ｎ（ｎ＝１，．．．１０）番目の周波数セットの信号が配置される。
【００６９】
さらに、分散物理リソースブロックＤＰＲＢ３においては周波数セットに信号を配置する分散仮想リソースブロックＤＶＲＢの順番を分散物理リソースブロックＤＰＲＢ２と比較して１つシフトする。ここで、分散仮想リソースブロックＤＶＲＢが分散物理リソースブロックＤＰＲＢ１と同一の順番とは異なる順番になるようにシフトする。分散物理リソースブロックＤＰＲＢ３において分散仮想リソースブロックＤＶＲＢ３はＳＦＢＣ＋ＦＳＴＤの周波数セットの３ｎ−２（ｎ＝１，．．．１１）番目に、順番に３ｎ−２（ｎ＝１，．．．１１）番目の周波数セットの信号が配置され、分散仮想リソースブロックＤＶＲＢ１はＳＦＢＣ＋ＦＳＴＤの周波数セットの３ｎ−１（ｎ＝１，．．．１１）番目に、順番に３ｎ−１（ｎ＝１，．．．１１）番目の周波数セットの信号が配置され、分散仮想リソースブロックＤＶＲＢ２はＳＦＢＣ＋ＦＳＴＤの周波数セットの３ｎ（ｎ＝１，．．．１０）番目に、順番に３ｎ（ｎ＝１，．．．１０）番目の周波数セットの信号が配置される。分散仮想リソースブロックＤＶＲＢ１とＤＶＲＢ２とＤＶＲＢ３はそれぞれ、分散物理リソースブロックＤＰＲＢ１とＤＰＲＢ２とＤＰＲＢ３で総合して３２個のＳＦＢＣ＋ＦＳＴＤの周波数セットが構成され、１物理リソースブロックＰＲＢのリソースエレメント量と等しくなる。
【００７０】
次に、下りリンク制御チャネルが１つのＯＦＤＭシンボルから構成される場合について説明する。図１８は、下りリンク共有データチャネルに対するＳＦＢＣ＋ＦＳＴＤの周波数セットの配置を説明する図である。この場合、各物理リソースブロックＰＲＢ内においてＳＦＢＣ＋ＦＳＴＤの周波数セットは３４個構成される。
【００７１】
図１９は、下りリンク制御チャネルが１つのＯＦＤＭシンボルから構成され、多重数Ｎｄが２の場合のＤＶＲＢマッピングを説明する図である。分散物理リソースブロックＤＰＲＢ１において分散仮想リソースブロックＤＶＲＢ１はＳＦＢＣ＋ＦＳＴＤの周波数セットの２ｎ−１（ｎ＝１，．．．１７）番目に、順番に２ｎ−１（ｎ＝１，．．．１７）番目の周波数セットの信号が配置され、分散仮想リソースブロックＤＶＲＢ２はＳＦＢＣ＋ＦＳＴＤの周波数セットの２ｎ（ｎ＝１，．．．１７）番目に、順番に２ｎ（ｎ＝１，．．．１７）番目の周波数セットの信号が配置される。
【００７２】
一方、分散物理リソースブロックＤＰＲＢ２においては周波数セットに信号を配置する分散仮想リソースブロックＤＶＲＢの順番をシフトする。分散物理リソースブロックＤＰＲＢ２において分散仮想リソースブロックＤＶＲＢ２はＳＦＢＣ＋ＦＳＴＤの周波数セットの２ｎ−１（ｎ＝１，．．．１７）番目に、順番に２ｎ−１（ｎ＝１，．．．１７）番目の周波数セットの信号が配置され、分散仮想リソースブロックＤＶＲＢ１はＳＦＢＣ＋ＦＳＴＤの周波数セットの２ｎ（ｎ＝１，．．．１７）番目に、順番に２ｎ（ｎ＝１，．．．１７）番目の周波数セットの信号が配置される。分散仮想リソースブロックＤＶＲＢ１とＤＶＲＢ２はそれぞれ、分散物理リソースブロックＤＰＲＢ１とＤＰＲＢ２で総合して３４個のＳＦＢＣ＋ＦＳＴＤの周波数セットが構成され、１物理リソースブロックＰＲＢのリソースエレメント量と等しくなる。
【００７３】
図２０は、下りリンク制御チャネルが１つのＯＦＤＭシンボルから構成され、多重数Ｎｄが３の場合のＤＶＲＢマッピングを説明する図である。分散物理リソースブロックＤＰＲＢ１において分散仮想リソースブロックＤＶＲＢ１はＳＦＢＣ＋ＦＳＴＤの周波数セットの３ｎ−２（ｎ＝１，．．．１２）番目に、順番に３ｎ−２（ｎ＝１，．．．１２）番目の周波数セットの信号が配置され、分散仮想リソースブロックＤＶＲＢ２はＳＦＢＣ＋ＦＳＴＤの周波数セットの３ｎ−１（ｎ＝１，．．．１１）番目に、順番に３ｎ−１（ｎ＝１，．．．１１）番目の周波数セットの信号が配置され、分散仮想リソースブロックＤＶＲＢ３はＳＦＢＣ＋ＦＳＴＤの周波数セットの３ｎ（ｎ＝１，．．．１１）番目に、順番に３ｎ（ｎ＝１，．．．１１）番目の周波数セットの信号が配置される。
【００７４】
一方、分散物理リソースブロックＤＰＲＢ２においては各周波数セットの位置に信号を配置する分散仮想リソースブロックＤＶＲＢの順番を、分散物理リソースブロックＤＰＲＢ１における順番と比較して１つシフトする。分散物理リソースブロックＤＰＲＢ２において分散仮想リソースブロックＤＶＲＢ２はＳＦＢＣ＋ＦＳＴＤの周波数セットの３ｎ−２（ｎ＝１，．．．１２）番目に、順番に３ｎ−２（ｎ＝１，．．．１２）番目の周波数セットの信号が配置され、分散仮想リソースブロックＤＶＲＢ３はＳＦＢＣ＋ＦＳＴＤの周波数セットの３ｎ−１（ｎ＝１，．．．１１）番目に、順番に３ｎ−１（ｎ＝１，．．．１１）番目の周波数セットの信号が配置され、分散仮想リソースブロックＤＶＲＢ１はＳＦＢＣ＋ＦＳＴＤの周波数セットの３ｎ（ｎ＝１，．．．１１）番目に、順番に３ｎ（ｎ＝１，．．．１１）番目の周波数セットの信号が配置される。
【００７５】
さらに、分散物理リソースブロックＤＰＲＢ３においては周波数セットに信号を配置する分散仮想リソースブロックＤＶＲＢの順番を分散物理仮想ブロックＤＰＲＢ２と比較して１つシフトする。ここで、分散仮想リソースブロックＤＶＲＢの順番が分散物理リソースブロックＤＰＲＢ１における順番とは異なる順番になるようにシフトする。分散物理リソースブロックＤＰＲＢ３において分散仮想リソースブロックＤＶＲＢ３はＳＦＢＣ＋ＦＳＴＤの周波数セットの３ｎ−２（ｎ＝１，．．．１２）番目に、順番に３ｎ−２（ｎ＝１，．．．１２）番目の周波数セットの信号が配置され、分散仮想リソースブロックＤＶＲＢ１はＳＦＢＣ＋ＦＳＴＤの周波数セットの３ｎ−１（ｎ＝１，．．．１１）番目に、順番に３ｎ−１（ｎ＝１，．．．１１）番目の周波数セットの信号が配置され、分散仮想リソースブロックＤＶＲＢ２はＳＦＢＣ＋ＦＳＴＤの周波数セットの３ｎ（ｎ＝１，．．．１１）番目に、順番に３ｎ（ｎ＝１，．．．１１）番目の周波数セットの信号が配置される。分散仮想リソースブロックＤＶＲＢ１とＤＶＲＢ２とＤＶＲＢ３はそれぞれ、分散物理仮想リソースブロックＤＰＲＢ１とＤＰＲＢ２とＤＰＲＢ３で総合して３４個のＳＦＢＣ＋ＦＳＴＤの周波数セットが構成され、１物理リソースブロックＰＲＢのリソースエレメント量と等しくなる。
【００７６】
次に、上述のＤＶＲＢマッピングを行う無線通信システムにおいて、移動局装置２が自移動局装置に割り当てられた下りリンク共有データチャネルが配置されたリソースエレメントを認識する手順について説明する。図２１は、移動局装置２が自移動局装置に割り当てられた下りリンク共有データチャネル、すなわち分散仮想リソースブロックＤＶＲＢが配置されたリソースエレメントを、サブフレーム中から認識する手順を説明する図である。移動局装置２は、分散物理リソースブロックＤＰＲＢ数、分散物理リソースブロックＤＰＲＢの周波数位置、多重数Ｎｄの値、自装置宛の下りリンク共有データチャネルが割り当てられたＤＶＲＢナンバーを下りリンク共有データチャネルで受信する。この制御データの通知に用いる下りリンク共有データチャネルに関しては、分散送信ではなく、集中送信される。
【００７７】
基地局装置１は、分散通信用のパラメータである分散物理リソースブロックＤＰＲＢ数、分散物理リソースブロックＤＰＲＢの周波数位置、多重数Ｎｄの値を特定の移動局装置２、または複数の移動局装置２に対して下りリンク共有データチャネルで送信する。具体的には、これら分散通信用のパラメータを特定の移動局装置２に対して送信する場合、下りリンク共有データチャネルの無線リソース割り当てなどの情報を含む下りリンク制御チャネルに特定の移動局装置２を示す移動局識別子を含めて送信し、前記無線リソース割り当てにおいて示す下りリンク共有データチャネルに分散通信用のパラメータを含めて送信する。また、分散通信用のパラメータを複数の移動局装置２に対して送信する場合、下りリンク共有データチャネルの無線リソース割り当てなどの情報を含む下りリンク制御チャネルに複数の移動局装置２を示す移動局群識別子を含めて送信し、前記無線リソース割り当てにおいて示す下りリンク共有データチャネルに分散通信用のパラメータを含めて送信する。移動局装置２は、下りリンク制御チャネルに含まれる移動局識別子が自移動局識別子と等しいか、または移動局群識別子が自移動局装置が属する移動局群識別子と等しいかを検出する。
【００７８】
等しい場合、前記下りリンク制御チャネルに含まれる下りリンク共有データチャネルの無線リソース割り当ての情報を取得し、無線リソース割り当ての情報によって示された物理リソースブロックＰＲＢの下りリンク共有データチャネルの復調を行い、下りリンク共有データチャネルに含まれた分散通信用のパラメータを検出する。移動局群識別子が用いられた場合、該移動局群識別子に属する複数の移動局装置が下りリンク共有データチャネルに含まれた分散通信用のパラメータを、共通して分散送信に用いる。また、基地局装置１は、分散物理リソースブロックＤＰＲＢ数、分散物理リソースブロックＤＰＲＢの周波数配置、多重集Ｎｄの値以外に、分散通信用のパラメータとしてＤＶＲＢナンバーを、該ＤＶＲＢナンバーが指定する分散仮想リソースブロックの送信先となっている特定の移動局装置２に対して、下りリンク共有データチャネルで送信する。
【００７９】
これら分散通信用のパラメータの基地局装置１から移動局装置２への通知は、移動局装置２が情報データの通信を開始する前の通信確立の段階で行われ、この段階において情報データの通信においては分散送信を行うということが通知される。または、これらの情報は分散送信を行う場合に使用する情報を示すだけで、実際の情報データの通信を行う段階において分散送信を行うか、集中送信を行うかを指定する情報を下りリンク制御チャネルに含めるようにしてもよい。移動局装置２は、通信確立後、実際の情報データの通信において下りリンク制御チャネルで分散送信であることを示された場合に前記パラメータを自移動局装置宛の信号、すなわち自移動局装置宛の分散仮想リソースブロックＤＶＲＢが配置されたリソースエレメントの認識に用いる。
【００８０】
移動局装置２は、分散物理リソースブロックＤＰＲＢ数の情報を基に下りリンクフレームの分散物理リソースブロックＤＰＲＢの数を認識する（Ｓ１）。次に、移動局装置２は、分散物理リソースブロックＤＰＲＢの周波数位置の情報を基に、どの物理リソースブロックＰＲＢが分散物理リソースブロックＤＰＲＢであるかを認識する（Ｓ２）。移動局装置２は、多重数Ｎｄの情報を基に、分散物理リソースブロックＤＰＲＢ内で多重する分散仮想リソースブロックＤＶＲＢ数を認識する（Ｓ３）。移動局装置２は、ＤＶＲＢナンバーの情報を基に、分散物理リソースブロックＤＰＲＢ内における自移動局装置に割り当てられた分散仮想リソースブロックＤＶＲＢのナンバーを認識する（Ｓ４）。
【００８１】
通信確立後、移動局装置２は制御フォーマットインディケータを制御フォーマットインディケータチャネルで受信し、下りリンク制御チャネルが構成されるＯＦＤＭシンボル数を認識する（Ｓ５）。以上の情報を基に、サブフレーム内で自移動局装置に対して分散送信された信号が配置されたリソースエレメントを認識する（Ｓ６）。例えば、全体として図１３、図１４、図１６、図１７、図１９、図２０に示すどのタイプのＤＶＲＢマッピングかを、多重数Ｎｄと制御フォーマットインディケータにより認識し、最終的に各タイプにおいて自移動局装置の信号、すなわち、分散仮想リソースブロックＤＶＲＢが配置されたリソースエレメントを、予め記憶している各タイプの信号配置順の情報とＤＶＲＢナンバーとにより認識する。
【００８２】
なお、ＤＰＲＢ数、ＤＰＲＢの周波数位置、Ｎｄ、ＤＶＲＢナンバーをいくつかの情報を下りリンク共有データチャネルではなく、下りリンク制御チャネルに構成するようにしてもよい。なお、ＤＰＲＢ数とＤＰＲＢの周波数位置を一対一で予め対応付けし、ＤＰＲＢ数のみを通知するようにしてもよい。なお、ＤＰＲＢ数とＮｄが同一となるようにし、どちらか一方の情報のみを通知するようにしてもよい。なお、ＤＶＲＢナンバーなどを下りリンク制御チャネルに構成した場合、下りリンク制御チャネルにおける集中送信に関する情報を示すビットを、分散送信を示す場合に意味付けを変更することを予め決め、ＤＶＲＢナンバーを示すためにビットを流用してもよい。
【００８３】
以上のように、各分散仮想リソースブロックＤＶＲＢの信号が分散物理リソースブロックＤＰＲＢ内において時間領域に均等に分散されるので各分散仮想リソースブロックＤＶＲＢの受信品質を均等にすることができる。さらに、移動局装置２は付加的な制御データなしに自移動局装置の下りリンク共有データチャネルが配置されたリソースエレメントを認識することができる。
【００８４】
また、分散仮想リソースブロックＤＶＲＢを順番に配置する繰返し周期毎に異なる順番となるように分散仮想リソースブロックＤＶＲＢの順番をシフトする。図２２は、下りリンク制御チャネルが３ＯＦＤＭシンボルで構成され、多重数Ｎｄが３の場合に、分散仮想リソースブロックＤＶＲＢの周波数セットを順番に配置する周期毎に分散仮想リソースブロックＤＶＲＢの順番をシフトするＤＶＲＢマッピングを説明する図である。分散物理リソースブロックＤＰＲＢ１において、最初から３つのＳＦＢＣ＋ＦＳＴＤの周波数セットでは分散仮想リソースブロックＤＶＲＢ１、ＤＶＲＢ２、ＤＶＲＢ３の順番に周波数セットの信号を下りリンク共有データチャネルに配置する。次の３つのＳＦＢＣ＋ＦＳＴＤの周波数セットでは、分散仮想リソースブロックＤＶＲＢの順番を１つシフトし、分散仮想リソースブロックＤＶＲＢ２、ＤＶＲＢ３、ＤＶＲＢ１の順番に周波数セットの信号を下りリンク共有データチャネルに配置する。次の３つのＳＦＢＣ＋ＦＳＴＤの周波数セットでは、分散仮想リソースブロックＤＶＲＢの順番を１つシフトし、分散仮想リソースブロックＤＶＲＢ３、ＤＶＲＢ１、ＤＶＲＢ２の順番に周波数セットの信号を下りリンク共有データチャネルに配置する。
【００８５】
このような処理を以降のＳＦＢＣ＋ＦＳＴＤの周波数セットに対して行う。分散物理リソースブロックＤＰＲＢ２、ＤＰＲＢ３においては、最初のＳＦＢＣ＋ＦＳＴＤの周波数セットに対する分散仮想リソースブロックＤＶＲＢの周波数セットの順番は異なるが、同様に分散仮想リソースブロックＤＶＲＢの周波数セットを順番に配置する周期毎に分散仮想リソースブロックＤＶＲＢの順番をシフトする。
【００８６】
以上のように図２２に示したＤＶＲＢマッピングでは、図１４に示すＤＶＲＢマッピングと比較して各分散仮想リソースブロックＤＶＲＢの信号を配置するリソースエレメントを周波数領域でばらばらにすることができる。これにより、周波数ダイバーシチ効果を得ることができ、更に、特定の周波数領域で隣接セルからなどの干渉が強い場合にずっと干渉を受け続けないように影響を分散する干渉ダイバーシチ効果を得ることができる。
【００８７】
なお、分散仮想リソースブロックＤＶＲＢの周波数セットを順番に配置する周期毎に、分散仮想リソースブロックＤＶＲＢの順番をシフトする処理を行うことにより、逆に分散仮想リソースブロックＤＶＲＢの信号が特定の周波数領域のリソースエレメントに集中してしまうような場合（下りリンク制御チャネルのＯＦＤＭシンボル数と多重数Ｎｄの値に依存）はシフトを行わないようにしてもよい。このとき、分散仮想リソースブロックＤＶＲＢを順番に配置する周期毎に分散仮想リソースブロックＤＶＲＢの順番をシフトするかしないかを、下りリンク制御チャネルのＯＦＤＭシンボル数と多重数Ｎｄの値の組み合わせに対して予め決めておくことで、シフトの実施／非実施を指定する制御情報を基地局装置から伝送せずに、移動局装置はシフトの実施／非実施を判定可能であるので、制御データが増加して伝送容量を圧迫することもない。
【００８８】
また、２本の送信アンテナを用いたＳＦＢＣを適用したＤＶＲＢマッピングにおいても本発明を適用して、分散仮想リソースブロック間の受信品質を均等にすることができる。その場合、ＳＦＢＣ周波数ペアを１ユニットとして、各分散仮想リソースブロックＤＶＲＢの下りリンク共有データチャネルの信号をユニット単位で順番に配置する。送信アンテナが４本の場合と同様に、順番に配置する周期は、１分散物理リソースブロックＤＰＲＢに多重する分散仮想リソースブロックＤＶＲＢ数である多重数Ｎｄであり、１番目の分散仮想リソースブロックＤＶＲＢ１からＮｄ番目の分散仮想リソースブロックＤＶＲＢ  Ｎｄ各々の１つのＳＦＢＣの周波数ペアの信号を順番に配置した後、再度１番目の分散仮想リソースブロックＤＶＲＢ１の信号から配置するという処理を全ての周波数ペアに対して配置し終えるまで繰り返し、各分散物理リソースブロックＤＰＲＢ間では、配置する分散仮想リソースブロックＤＶＲＢの順番をシフトする。
【００８９】
なお、上述の実施形態では、多重数Ｎｄの値が２と３の場合について説明してきたが、本発明はこれらの値に限定されない。多重数Ｎｄの値が４、６など、その他の値であってもよい。
なお、上述の実施形態では、図４（ｂ）に示すように、図３において下りリンクパイロットチャネルＲ１、Ｒ３を送信する送信アンテナＴｘ１、Ｔｘ３のペア、下りリンクパイロットチャネルＲ２、Ｒ４を送信する送信アンテナＴｘ２、Ｔｘ４のペアでＳＦＢＣ＋ＦＳＴＤのＳＦＢＣ処理をそれぞれ行う場合について説明してきたが、送信アンテナＴｘ１、Ｔｘ２のペア、送信アンテナＴｘ３、Ｔｘ４のペアでＳＦＢＣ＋ＦＳＴＤのＳＦＢＣ処理をそれぞれ行う場合、及び送信アンテナＴｘ１、Ｔｘ４のペア、送信アンテナＴｘ２、Ｔｘ３のペアでＳＦＢＣ＋ＦＳＴＤのＳＦＢＣ処理をそれぞれ行うような場合にも本発明を適用することができる。また、あるＯＦＤＭシンボルにおいては送信アンテナＴｘ１、Ｔｘ３のペア、送信アンテナＴｘ２、Ｔｘ４のペアでＳＦＢＣ＋ＦＳＴＤのＳＦＢＣ処理を行い、異なるＯＦＤＭシンボルにおいては送信アンテナＴｘ１、Ｔｘ２のペア、送信アンテナＴｘ３、Ｔｘ４のペアでＳＦＢＣ＋ＦＳＴＤのＳＦＢＣ処理を行うように、異なる送信アンテナペアのＳＦＢＣ＋ＦＳＴＤを組み合わせた場合にも本発明を適用することができる。
【００９０】
また、図９における無線リソース制御部３、制御部４、送信処理部５、受信処理部６、および、図１１における制御部７、送信処理部８、受信処理部９の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００９１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９２】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００９３】
本発明は、移動体通信システムに用いて好適であるが、これに限定されない。
【図面の簡単な説明】
【００９４】
【図１】従来のＥＵＴＲＡにおけるチャネルの構造を示す図である。
【図２】従来のＥＵＴＲＡにおける下りリンクフレームの概略構成である
【図３】従来のＥＵＴＲＡの下りリンクにおける１ＰＲＢ内の下りリンクパイロットチャネルの配置を説明する図である。
【図４】従来の送信ダイバーシチ方法を説明するための図である。
【図５】従来の２本の送信アンテナを用いた空間周波数ブロック符号ＳＦＢＣの送信信号の各リソースエレメントへの配置例を説明する図である。
【図６】従来の２本の送信アンテナを用いた空間周波数ブロック符号ＳＦＢＣの送信信号の各リソースエレメントへの配置例を説明する図である。
【図７】従来の時間多重方法を用いた分散仮想リソースブロックＤＶＲＢマッピング例の概略を説明する図である。
【図８】従来のＳＦＢＣ＋ＦＳＴＤを適用した下りリンクフレームにおいて図７（ｂ）の分散仮想リソースブロックＤＶＲＢを適用した場合を示す図である。
【図９】この本発明の実施形態における基地局装置１の概略ブロック図である。
【図１０】同実施形態における基地局装置１の送信処理部５の内部構成を示す概略ブロック図である。
【図１１】同実施形態における移動局装置２の概略ブロック図を示す。
【図１２】同実施形態における移動局装置２の受信処理部９の内部構成を示す概略ブロック図である。
【図１３】同実施形態における下りリンク制御チャネルが３ＯＦＤＭシンボルから構成され、多重数Ｎｄが２の場合のＤＶＲＢマッピングを説明する図である。
【図１４】同実施形態における下りリンク制御チャネルが３ＯＦＤＭシンボルから構成され、多重数Ｎｄが３の場合のＤＶＲＢマッピングを説明する図である。
【図１５】同実施形態における下りリンク制御チャネルが２ＯＦＤＭシンボルから構成される場合の下りリンク共有データチャネルに対するＳＦＢＣ＋ＦＳＴＤの周波数セットの配置を説明する図である。
【図１６】同実施形態における下りリンク制御チャネルが２ＯＦＤＭシンボルから構成され、多重数Ｎｄが２の場合のＤＶＲＢマッピングを説明する図である。
【図１７】同実施形態における下りリンク制御チャネルが２ＯＦＤＭシンボルから構成され、多重数Ｎｄが３の場合のＤＶＲＢマッピングを説明する図である。
【図１８】同実施形態における下りリンク共有データチャネルに対するＳＦＢＣ＋ＦＳＴＤの周波数セットの配置を説明する図である。
【図１９】同実施形態における下りリンク制御チャネルが１ＯＦＤＭシンボルから構成され、多重数Ｎｄが２の場合のＤＶＲＢマッピングを説明する図である。
【図２０】同実施形態における下りリンク制御チャネルが１ＯＦＤＭシンボルから構成され、多重数Ｎｄが３の場合のＤＶＲＢマッピングを説明する図である。
【図２１】同実施形態における移動局装置２が自移動局装置に割り当てられた下りリンク共有データチャネルを、サブフレーム中から認識する手順を説明する図である。
【図２２】同実施形態における下りリンク制御チャネルが３ＯＦＤＭシンボルで構成され、多重数Ｎｄが３の場合に、周波数セットを順番に配置する周期毎に分散仮想リソースブロックＤＶＲＢの順番をシフトするＤＶＲＢマッピングを説明する図である。
【符号の説明】
【００９５】
１…基地局装置
２…移動局装置
３…無線リソース制御部
４、７…制御部
５、８…送信処理部
６、９…受信処理部
１０…データチャネル処理部
１１…制御チャネル処理部
１２…参照信号生成部
１３…制御フォーマットインディケータ信号生成部
１４…多重部
１５…ＩＦＦＴ部
１６…ＧＩ挿入部
１７…Ｄ／Ａ部
１８…送信ＲＦ部
２０…ターボ符号部
２１…データ変調部
２２、３２…送信ダイバーシチ処理部
３０…畳み込み符号部
３１…ＱＰＳＫ変調部
４０…受信ＲＦ部
４１…Ａ／Ｄ部
４２…ＧＩ除去部
４３…ＦＦＴ部
４４…多重分離部
４５…伝播路推定部
４６、４７、４８…伝播路補償部
４９、５２…送信ダイバーシチ合成部
５０…データ復調部
５１…ターボ復号部
５３…ＱＰＳＫ復調部
５４…ビタビデコーダ部
【図１】
2009060420.tif 000003
【図２】
2009060420.tif 000004
【図３】
2009060420.tif 000005
【図４】
2009060420.tif 000006
【図５】
2009060420.tif 000007
【図６】
2009060420.tif 000008
【図７】
2009060420.tif 000009
【図８】
2009060420.tif 000010
【図９】
2009060420.tif 000011
【図１０】
2009060420.tif 000012
【図１１】
2009060420.tif 000013
【図１２】
2009060420.tif 000014
【図１３】
2009060420.tif 000015
【図１４】
2009060420.tif 000016
【図１５】
2009060420.tif 000017
【図１６】
2009060420.tif 000018
【図１７】
2009060420.tif 000019
【図１８】
2009060420.tif 000020
【図１９】
2009060420.tif 000021
【図２０】
2009060420.tif 000022
【図２１】
2009060420.tif 000023
【図２２】
2009060420.tif 000024